(57)【要約】【課題】テープ状光記録媒体に形成された複数の平行記録トラックに入射する複数の光ビームについてのトラッキングサーボ制御を省略したもとで、複数の平行記録トラックに記録された情報の再生を適正に行えるものとする。【解決手段】光テープに形成された複数の平行記録トラックから夫々得られる複数の読取レーザ光ビームが入射する光検出部を、各々が光テープに複数のレーザ光ビームを入射させる光学系の横倍率が最小とされたもとでの複数の読取レーザ光ビームの夫々の幅Ｔｗｍの２倍以下の幅を有するものとされた複数の受光素子ＰＤＯ，ＰＤＥが配列配置されて形成される第１及び第２の受光素子群を、夫々の受光素子が相互に幅の１／２だけ変位することになる位置関係として、光検出部における複数の読取レーザ光ビームが入射する可能性がある範囲Ｄｘの全体に亙るように配して構成する。【選択図】　　　　図４
2004054984.tif 000002
【特許請求の範囲】
【請求項１】
複数の平行記録トラックが形成され、該複数の平行記録トラックのうちの隣り合う対の夫々に２個の直交符号が用いられて変調された２個のデータが記録されたテープ状光記録媒体を、駆動して走行させるテープ状光記録媒体駆動機構と、
該テープ状光記録媒体駆動機構により駆動されて走行する上記テープ状光記録媒体に、複数の光ビームを該テープ状光記録媒体に形成された複数の平行記録トラックに到達させるべく入射させ、上記テープ状光記録媒体から上記複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅の２倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置されて成る第１の受光素子群と、各々が上記第１の光学系の横倍率が最小とされたもとでの上記複数の読取光ビームの夫々の幅の２倍以下の幅を有するものとされた複数の受光素子が、上記第１の受光素子群における受光素子の個数より１だけ少ない個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ再生装置。
【請求項２】
第１の光学系を通じてテープ状光記録媒体に入射する複数の光ビームが、上記テープ状光記録媒体に形成された複数の平行記録トラックにおいて変調されるとともに反射して、上記テープ状光記録媒体からの複数の読取光ビームが得られることを特徴とする請求項１記載のデータ再生装置。
【請求項３】
光検出部に含まれる第１及び第２の受光素子群の夫々が、一列に配列配置された複数の受光素子によって成ることを特徴とする請求項１記載のデータ再生装置。
【請求項４】
光検出部に含まれる第１及び第２の受光素子群の夫々が、複数列を形成すべく配列配置された複数の受光素子によって成ることを特徴とする請求項１記載のデータ再生装置。
【請求項５】
複数の平行記録トラックが形成され、該複数の平行記録トラックのうちの隣り合う対の夫々に２個の直交符号が用いられて変調された２個のデータが記録されたテープ状光記録媒体を、駆動して走行させるテープ状光記録媒体駆動機構と、
該テープ状光記録媒体駆動機構により駆動されて走行する上記テープ状光記録媒体に、複数の光ビームを該テープ状光記録媒体に形成された複数の平行記録トラックに到達させるべく入射させ、上記テープ状光記録媒体から上記複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅の２倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置される場合より、１個少ない個数をもって配列配置されて成る第１の受光素子群と、各々が上記第１の光学系の横倍率が最小とされたもとでの上記複数の読取光ビームの夫々の幅の２倍以下の幅を有するものとされた複数の受光素子が、上記第１の受光素子群における受光素子の個数と同じ個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ再生装置。
【請求項６】
第１の光学系を通じてテープ状光記録媒体に入射する複数の光ビームが、上記テープ状光記録媒体に形成された複数の平行記録トラックにおいて変調されるとともに反射して、上記テープ状光記録媒体からの複数の読取光ビームが得られることを特徴とする請求項５記載のデータ再生装置。
【請求項７】
光検出部に含まれる第１及び第２の受光素子群の夫々が、一列に配列配置された複数の受光素子によって成ることを特徴とする請求項５記載のデータ再生装置。
【請求項８】
光検出部に含まれる第１及び第２の受光素子群の夫々が、複数列を形成すべく配列配置された複数の受光素子によって成ることを特徴とする請求項５記載のデータ再生装置。
【請求項９】
複数の平行記録トラックが形成され、該複数の平行記録トラックのうちの連接するＮ個（Ｎは２より大なる整数）の組の夫々にＮ個の直交符号が用いられて変調されたＮ個のデータが記録されたテープ状光記録媒体を、駆動して走行させるテープ状光記録媒体駆動機構と、
該テープ状光記録媒体駆動機構により駆動されて走行する上記テープ状光記録媒体に、複数の光ビームを該テープ状光記録媒体に形成された複数の平行記録トラックに到達させるべく入射させ、上記テープ状光記録媒体から上記複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅のＮ倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置されて成る第１の受光素子群と、各々が上記第１の光学系の横倍率が最小とされたもとでの上記複数の読取光ビームの夫々の幅のＮ倍以下の幅を有するものとされた複数の受光素子が、上記第１の受光素子群における受光素子の個数より１だけ少ない個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ再生装置。
【請求項１０】
第１の光学系を通じてテープ状光記録媒体に入射する複数の光ビームが、上記テープ状光記録媒体に形成された複数の平行記録トラックにおいて変調されるとともに反射して、上記テープ状光記録媒体からの複数の読取光ビームが得られることを特徴とする請求項９記載のデータ再生装置。
【請求項１１】
光検出部に含まれる第１及び第２の受光素子群の夫々が、一列に配列配置された複数の受光素子によって成ることを特徴とする請求項９記載のデータ再生装置。
【請求項１２】
光検出部に含まれる第１及び第２の受光素子群の夫々が、複数列を形成すべく配列配置された複数の受光素子によって成ることを特徴とする請求項９記載のデータ再生装置。
【請求項１３】
複数の平行記録トラックが形成され、該複数の平行記録トラックのうちの連接するＮ個（Ｎは２より大なる整数）の夫々にＮ個の直交符号が用いられて変調されたＮ個のデータが記録されたテープ状光記録媒体を、駆動して走行させるテープ状光記録媒体駆動機構と、
該テープ状光記録媒体駆動機構により駆動されて走行する上記テープ状光記録媒体に、複数の光ビームを該テープ状光記録媒体に形成された複数の平行記録トラックに到達させるべく入射させ、上記テープ状光記録媒体から上記複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅のＮ倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置される場合より、１個少ない個数をもって配列配置されて成る第１の受光素子群と、各々が上記第１の光学系の横倍率が最小とされたもとでの上記複数の読取光ビームの夫々の幅のＮ倍以下の幅を有するものとされた複数の受光素子が、上記第１の受光素子群における受光素子の個数と同じ個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ再生装置。
【請求項１４】
第１の光学系を通じてテープ状光記録媒体に入射する複数の光ビームが、上記テープ状光記録媒体に形成された複数の平行記録トラックにおいて変調されるとともに反射して、上記テープ状光記録媒体からの複数の読取光ビームが得られることを特徴とする請求項１３記載のデータ再生装置。
【請求項１５】
光検出部に含まれる第１及び第２の受光素子群の夫々が、一列に配列配置された複数の受光素子によって成ることを特徴とする請求項１３記載のデータ再生装置。
【請求項１６】
光検出部に含まれる第１及び第２の受光素子群の夫々が、複数列を形成すべく配列配置された複数の受光素子によって成ることを特徴とする請求項１３記載のデータ再生装置。
【請求項１７】
テープ状光記録媒体を駆動して走行させるテープ状光記録媒体駆動機構と、
隣り合う対の夫々が２個の直交符号が用いられて変調された２個のデータに応じて変調される態様のもとに形成される複数の変調光ビーム、もしくは、複数の変調されていない光ビームを発する光ビーム発生部と、
該光ビーム発生部から得られる上記複数の変調光ビームもしくは上記複数の変調されていない光ビームを上記テープ状光記録媒体駆動機構により駆動されて走行するテープ状光記録媒体に入射させ、上記複数の変調光ビームにより、上記テープ状光記録媒体に、複数の平行記録トラックが形成されるとともに該複数の平行記録トラックのうちの隣り合う対の夫々に２個の直交符号が用いられて変調された２個のデータが記録される状態、もしくは、上記複数の変調されていない光ビームに基づいて、上記テープ状光記録媒体から、該テープ状光記録媒体に形成された隣り合う対の夫々に２個の直交符号が用いられて変調された２個のデータが記録されて成る複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅の２倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置されて成る第１の受光素子群と、各々が上記第１の光学系の横倍率が最小とされたもとでの上記複数の読取光ビームの夫々の幅の２倍以下の幅を有するものとされた複数の受光素子が、上記第１の受光素子群における受光素子の個数より１だけ少ない個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ記録再生装置。
【請求項１８】
第１の光学系を通じてテープ状光記録媒体に入射する複数の変調されていない光ビームが、上記テープ状光記録媒体に形成された複数の平行記録トラックにおいて変調されるとともに反射して、上記テープ状光記録媒体からの複数の読取光ビームが得られることを特徴とする請求項１７記載のデータ記録再生装置。
【請求項１９】
テープ状光記録媒体を駆動して走行させるテープ状光記録媒体駆動機構と、
隣り合う対の夫々が２個の直交符号が用いられて変調された２個のデータに応じて変調される態様のもとに形成される複数の変調光ビーム、もしくは、複数の変調されていない光ビームを発する光ビーム発生部と、
該光ビーム発生部から得られる上記複数の変調光ビームもしくは上記複数の変調されていない光ビームを上記テープ状光記録媒体駆動機構により駆動されて走行するテープ状光記録媒体に入射させ、上記複数の変調光ビームにより、上記テープ状光記録媒体に、複数の平行記録トラックが形成されるとともに該複数の平行記録トラックのうちの隣り合う対の夫々に２個の直交符号が用いられて変調された２個のデータが記録される状態、もしくは、上記複数の変調されていない光ビームに基づいて、上記テープ状光記録媒体から、該テープ状光記録媒体に形成された隣り合う対の夫々に２個の直交符号が用いられて変調された２個のデータが記録されて成る複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅の２倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置される場合より、１個少ない個数をもって配列配置されて成る第１の受光素子群と、各々が上記第１の光学系の横倍率が最小とされたもとでの上記複数の読取光ビームの夫々の幅の２倍以下の幅を有するものとされた複数の受光素子が、上記第１の受光素子群における受光素子の個数と同じ個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ記録再生装置。
【請求項２０】
第１の光学系を通じてテープ状光記録媒体に入射する複数の変調されていない光ビームが、上記テープ状光記録媒体に形成された複数の平行記録トラックにおいて変調されるとともに反射して、上記テープ状光記録媒体からの複数の読取光ビームが得られることを特徴とする請求項１９記載のデータ記録再生装置。
【請求項２１】
テープ状光記録媒体を駆動して走行させるテープ状光記録媒体駆動機構と、
連接するＮ個（Ｎは２より大なる整数）の組の夫々がＮ個の直交符号が用いられて変調されたＮ個のデータに応じて変調される態様のもとに形成される複数の変調光ビーム、もしくは、複数の変調されていない光ビームを発する光ビーム発生部と、
該光ビーム発生部から得られる上記複数の変調光ビームもしくは上記複数の変調されていない光ビームを上記テープ状光記録媒体駆動機構により駆動されて走行するテープ状光記録媒体に入射させ、上記複数の変調光ビームにより、上記テープ状光記録媒体に、複数の平行記録トラックが形成されるとともに該複数の平行記録トラックのうちの連接するＮ個の組の夫々にＮ個の直交符号が用いられて変調されたＮ個のデータが記録される状態、もしくは、上記複数の変調されていない光ビームに基づいて、上記テープ状光記録媒体から、該テープ状光記録媒体に形成されたＮ個の組の夫々にＮ個の直交符号が用いられて変調されたＮ個のデータが記録されて成る複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅のＮ倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置されて成る第１の受光素子群と、各々が上記第１の光学系の横倍率が最小とされたもとでの上記複数の読取光ビームの夫々の幅のＮ倍以下の幅を有するものとされた複数の受光素子が、上記第１の受光素子群における受光素子の個数より１だけ少ない個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ記録再生装置。
【請求項２２】
第１の光学系を通じてテープ状光記録媒体に入射する複数の変調されていない光ビームが、上記テープ状光記録媒体に形成された複数の平行記録トラックにおいて変調されるとともに反射して、上記テープ状光記録媒体からの複数の読取光ビームが得られることを特徴とする請求項２１記載のデータ記録再生装置。
【請求項２３】
テープ状光記録媒体を駆動して走行させるテープ状光記録媒体駆動機構と、
連接するＮ個（Ｎは２より大なる整数）の組の夫々がＮ個の直交符号が用いられて変調されたＮ個のデータに応じて変調される態様のもとに形成される複数の変調光ビーム、もしくは、複数の変調されていない光ビームを発する光ビーム発生部と、
該光ビーム発生部から得られる上記複数の変調光ビームもしくは上記複数の変調されていない光ビームを上記テープ状光記録媒体駆動機構により駆動されて走行するテープ状光記録媒体に入射させ、上記複数の変調光ビームにより、上記テープ状光記録媒体に、複数の平行記録トラックが形成されるとともに該複数の平行記録トラックのうちの連接するＮ個の組の夫々にＮ個の直交符号が用いられて変調されたＮ個のデータが記録される状態、もしくは、上記複数の変調されていない光ビームに基づいて、上記テープ状光記録媒体から、該テープ状光記録媒体に形成されたＮ個の組の夫々にＮ個の直交符号が用いられて変調されたＮ個のデータが記録されて成る複数の平行記録トラックによって変調された複数の読取光ビームが得られる状態となす第１の光学系と、
入射する光ビームに応じた検出出力信号を送出する光検出部と、
上記テープ状光記録媒体から得られる複数の読取光ビームを上記光検出部に入射させる第２の光学系と、
上記光検出部から上記複数の読取光ビームに応じて得られる複数の検出出力信号に演算処理を含んだ復元化処理を施して、上記複数の平行記録トラックに記録されたデータを再生する再生処理部と、
を備え、
上記光検出部が、各々が上記第１の光学系の横倍率が最小とされたもとでの上記複数の読取光ビームの夫々の幅のＮ倍以下の幅を有するものとされた複数の受光素子が、上記第１の光学系の横倍率が最大とされるとともに上記複数の平行記録トラックの基準位置からのずれが最大とされたもとでの上記複数の読取光ビームの全てを、適正に入射させることができる範囲に亙って配列配置される場合より、１個少ない個数をもって配列配置されて成る第１の受光素子群と、各々が上記第１の光学系の横倍率が最小とされたもとでの上記複数の読取光ビームの夫々の幅のＮ倍以下の幅を有するものとされた複数の受光素子が、上記第１の受光素子群における受光素子の個数と同じ個数をもって、上記第１の受光素子群における各受光素子に対し、該受光素子の幅の１／２だけ変位して配列配置されて成る第２の受光素子群と、を含んで構成され、上記第１及び第２の受光素子群における複数の受光素子が上記複数の検出出力信号を導出することを特徴とするデータ記録再生装置。
【請求項２４】
第１の光学系を通じてテープ状光記録媒体に入射する複数の変調されていない光ビームが、上記テープ状光記録媒体に形成された複数の平行記録トラックにおいて変調されるとともに反射して、上記テープ状光記録媒体からの複数の読取光ビームが得られることを特徴とする請求項２３記載のデータ記録再生装置。
【発明の詳細な説明】
【０００１】
【発明の属する技術分野】
本願の特許請求の範囲に記載された発明は、テープ状光記録媒体にデータが記録されたものとして形成された複数の平行記録トラックに、複数の光ビームを入射させ、それによりテープ状光記録媒体から得られる複数の読取光ビームを検出して、複数の平行記録トラックに記録された情報を再生するデータ再生装置、及び、テープ状光記録媒体に記録されるべきデータに応じて変調された複数の光ビームを入射させて、テープ状光記録媒体にデータが記録された複数の平行記録トラックを形成する状態と、テープ状光記録媒体にデータが記録されたものとして形成された複数の平行記録トラックに、複数の光ビームを入射させ、それによりテープ状光記録媒体から得られる複数の読取光ビームを検出して、複数の平行記録トラックに記録された情報を再生する状態とをとるデータ記録再生装置に関する。
【０００２】
【従来の技術】
記録媒体へのデータの記録及びデータが記録された記録媒体からのデータの再生に関わる分野においては、例えば、比較的小規模な記録再生手段を用いての動画像データの記録及び再生が望まれるようになってきた環境にあって、記録媒体に対するデータの高密度記録化、記録もしくは再生データの高転送レート化（高速化）等が、従前以上に求められている。こうしたもとで、データの高密度記録化及び記録もしくは再生データの高転送レート化の要求を満たすべく、光を用いてのデータ記録が可能とされた光記録媒体に、単一のもしくは複数の光ビームを入射させてデータの記録さらには再生を行う光記録／再生技術が提案されている。
【０００３】
光記録／再生技術にあっては、光記録媒体に対して非接触状態のもとでデータの記録もしくは再生が可能とされる非接触データ記録もしくはデータ再生が行われるという利点が得られることに加えて、データの記録さらには再生にレーザー光ビームが用いられることにより、データの高密度記録化が図られ、また、データの記録さらには再生に用いられるレーザ光ビームが互いに独立した複数ビームとされる場合には、記録もしくは再生データの高転送レート化が図られることになる。こうした光記録／再生技術が適用されたデータ記録装置あるいはデータ再生装置の一つとして、光記録媒体としてテープ状を成すもの、即ち、光テープを用いるデータ記録装置あるいはデータ再生装置が、従来知られている。
【０００４】
図１９は、従来提案されている光テープを用いるデータ再生装置の一例の要部を示す。図１９に示されるデータ再生装置の例にあっては、光テープ１０が巻装されて、その巻装された光テープ１０を送り出す供給リール１１と、光テープ１０を巻き取る巻取リール１２とが備えられる。そして、供給リール１１と巻取リール１２との間における光テープ１０は、フリクション・キャプスタン１３によって、供給リール１１から巻取リール１２へと矢印Ｔにより示される方向に走行すべく駆動される。
【０００５】
光テープ１０は、その走行方向に沿って伸びる複数の平行記録トラックが形成されたものとされており、複数の平行記録トラックの夫々にはデータが記録されている。
【０００６】
また、図１９に示されるデータ再生装置の例にあっては、フリクション・キャプスタン１３によって駆動される光テープ１０を、予め設定された位置を安定に走行するものとするための、複数の位置決め部材１４，一対のテンション・レギュレータ１５及び走行案内部１６が設けられている。複数の位置決め部材１４は、光テープ１０の走行経路を設定し、一対のテンション・レギュレータ１５は、供給リール１１と巻取リール１２との間における光テープ１０に、スプリング１７の付勢力によって所定の張力を与える。走行案内部１６は、走行する光テープ１０を案内し、そこを通過する光テープ１０に、光ビーム制御・信号処理部１８からのレーザ光ビームが入射することになるものとされる。
【０００７】
光ビーム制御・信号処理部１８は、具体的には、例えば、図２０に示される如くに構成される。図２０に示される光ビーム制御・信号処理部１８の具体構成例にあっては、例えば、直線偏光のレーザ光ビームを平行光ビームとして連続的に発するレーザ光源２１が備えられている。レーザ光源２１から発せられたレーザ光ビームは、ビーム形成ホログラム２２に入射する。
【０００８】
ビーム形成ホログラム２２にあっては、レーザ光源２１から発せられた平行光ビームである単一のレーザ光ビームが、各々が平行光ビームを成す複数のレーザ光ビームに分割される。即ち、ビーム形成ホログラム２２は、単一の平行光ビームから複数の平行光ビームを分割形成するのである。
【０００９】
ビーム形成ホログラム２２から得られる複数のレーザ光ビームは、光ビーム平行化レンズ２３を通じて偏光ビームスプリッタ２４に入射する。光ビーム平行化レンズ２３を通じた複数のレーザ光ビームの夫々は直線偏光であって、その偏光面が偏光ビームスプリッタ２４を透過するものとなるように選定される。それにより、光ビーム平行化レンズ２３から偏光ビームスプリッタ２４に入射する複数のレーザ光ビームは、偏光ビームスプリッタ２４を透過して進み、１／４波長板２５及び光ビーム制御を行う光学系２６を通じて、光テープ１０に入射する。
【００１０】
光学系２６は、光テープ１０に入射する複数のレーザ光ビームの夫々に、光テープ１０上において適正なフォーカス状態をとらせるための制御と、光テープ１０に入射する複数のレーザ光ビームを、光テープ１０に形成された複数の平行記録トラックに夫々適正に入射させるトラッキングについての制御とを行う。
【００１１】
光テープ１０に形成された複数の平行記録トラックに夫々入射した複数のレーザ光ビームの各々は、各平行記録トラックに記録されたデータに応じて変調されるとともに各平行記録トラックにおいて反射し、読取レーザ光ビームとして光テープ１０から光学系２６に向かうものとされる。光テープ１０から得られる複数の読取レーザ光ビームは、光学系２６及び１／４波長板２５を通過して、偏光ビームスプリッタ２４に入射する。この偏光ビームスプリッタ２４に入射する光テープ１０から得られる複数の読取レーザ光ビームは、１／４波長板２５を往復して通過したことになるので、偏光ビームスプリッタ２４に入射するビーム形成ホログラム２２からの複数のレーザ光ビームに比して偏光面が９０°回転したものとなっており、偏光ビームスプリッタ２４において図２０における右方に反射する。
【００１２】
偏光ビームスプリッタ２４において反射した複数の読取レーザ光ビームは、光ビームスプリッタ２７に入射し、その一部が、光ビームスプリッタ２７において図２０における下方に反射され、例えば、シリンドリカルレンズ等の光学素子２８を通じて、フォーカス・トラッキング検出部２９に入射するとともに、他の一部が、光ビームスプリッタ２７を透過し、例えば、集光レンズ等の光学素子３０を通じて、光検出部３１に入射する。
【００１３】
フォーカス・トラッキング検出部２９は、光学素子２８を通じて入射する複数の読取レーザ光ビームに応じて、光テープ１０に入射する複数のレーザ光ビームについてのフォーカス状態をあらわす出力信号ＳＦ及びトラッキング状態をあらわす出力信号ＳＴを送出する。これらの出力信号ＳＦ及びＳＴは、フォーカス・トラッキング制御信号形成部３２に供給される。
【００１４】
フォーカス・トラッキング制御信号形成部３２は、出力信号ＳＦに応じたフォーカス制御信号ＳＣＦと出力信号ＳＴに応じたトラッキング制御信号ＳＣＴとを形成して、それらを光学系２６に供給する。それにより、光学系２６による、複数のレーザ光ビームに光テープ１０上において適正なフォーカス状態をとらせるための制御と、光テープ１０に入射する複数のレーザ光ビームを、光テープ１０に形成された複数の平行記録トラックに夫々適正に入射させるトラッキングについての制御とが、フォーカス・トラッキング制御信号形成部３２からのフォーカス制御信号ＳＣＦ及びトラッキング制御信号ＳＣＴに応じたフォーカスサーボ制御及びトラッキングサーボ制御として行われる。
【００１５】
また、光検出部３１は、各々が光学素子３０を通じて入射する複数の読取レーザ光ビームの夫々の変化に応じて変化する複数の出力信号ＳＩを得て、それらを再生処理部３３に供給する。再生処理部３３は、光検出部３１からの複数の出力信号ＳＩに基づいて、光テープ１０における複数の平行記録トラックに記録されたデータを再生する。
【００１６】
上述の如くの図１９に示される光ビームを用いるデータ再生装置の例にあっては、走行案内部１６は、例えば、図２１に示される如くに、案内面部３５とそれを挟む一対のフランジ部３６とが設けられたものとされて、光テープ１０をその案内面部３５に沿って走行させる。その際、光テープ１０が適正な走行状態にあるときには、図２１に示される如く、光テープ１０の一端縁部が、一対のフランジ部３６の一方によって位置規制されて、走行する光テープ１０の案内面部３５上における位置決めがなされる。
【００１７】
しかしながら、実際には、走行案内部１６における案内面部３５に沿って走行する光テープ１０は、その幅方向（走行方向に直交する方向）に変動し、例えば、図２２に示される如くに、その一端縁部に対する一対のフランジ部３６の一方による位置規制が解除されて、案内面部３５上における光テープ１０の位置の移動ｍが生じてしまうことは避けられない。このような案内面部３５上における光テープ１０の位置の移動ｍは、直接的に、光テープ１０に形成された複数の平行記録トラックの光テープ１０の幅方向における移動を生じさせる。
【００１８】
また、光ビーム制御・信号処理部１８における各種の光学系もしくは光学素子、例えば、走行案内部１６に沿って走行する光テープ１０に複数のレーザ光ビームを入射させる光学系２６は、個々の焦点距離が、製造上のバラツキによって微妙に相違することになり、さらには、使用状態のもとでの温度変化によって変動するものとされる。それに伴って、光学系２６は、その横倍率が変動するものとされることになり、斯かる光学系２６の横倍率の変動は、光テープ１０に入射する複数のレーザ光ビームの夫々についての光テープ１０上における入射位置を変動させることになる。
【００１９】
このようなもとで、光テープ１０に入射する複数のレーザ光ビームの夫々が、光テープ１０上における適正なフォーカス状態をとるとともに、その入射位置を光テープ１０に形成された複数の平行トラックの各々の上に適正に維持するようになすには、そのための制御が必要とされることになり、それゆえ、前述された如くの光テープ１０に入射する複数のレーザ光ビームに対するフォーカスサーボ制御及びトラッキングサーボ制御が行われるのである。
【００２０】
【発明が解決しようとする課題】
上述の如くの従来提案されている光テープを用いるデータ再生装置にあっては、光テープ１０に入射する複数のレーザ光ビームに対するフォーカスサーボ制御及びトラッキングサーボ制御が不可欠とされ、それゆえ、斯かるフォーカスサーボ制御及びトラッキングサーボ制御を実行するための光学系２６，フォーカス・トラッキング検出部２９，光テープ１０から得られる複数の読取レーザ光ビームをフォーカス・トラッキング検出部２９に導くための各種の光学系及び光学素子，フォーカス・トラッキング制御信号形成部３２等々を含んだ構成部分が備えられる。このような、フォーカスサーボ制御及びトラッキングサーボ制御のために備えられる構成部分は、それ自体が複雑な構成を有したものとされて、データ再生装置における構成の複雑化をまねいている。
【００２１】
また、フォーカスサーボ制御及びトラッキングサーボ制御のために備えられる構成部分は、厳格に管理された制御動作が要求されることになり、そのための各部の設定及び調整等が、極めて微妙で難しいものとされる。
【００２２】
こうしたことからして、少なくとも上述のフォーカスサーボ制御及びトラッキングサーボ制御のうちの一方、例えば、トラッキングサーボ制御だけでも、それを省略したもとで、光テープ１０等のテープ状光記録媒体に形成された複数の平行記録トラックに記録されたデータを適正に再生することができ、それに伴って、トラッキングサーボ制御のために備えられる構成部分を不要とできるようにすることが望まれる。しかしながら、従来にあっては、斯かるフォーカスサーボ制御及びトラッキングサーボ制御のうちの一方、例えば、トラッキングサーボ制御を省略でき、それに伴って、トラッキングサーボ制御のために備えられる構成部分を不要とできるものとされた、テープ状光記録媒体を用いるデータ再生装置は見当たらない。
【００２３】
斯かる点に鑑み、本願の特許請求の範囲に記載された発明は、テープ状光記録媒体に各々にデータが記録されたものとして形成された複数の平行記録トラックに、複数の光ビームを入射させ、それによりテープ状光記録媒体から得られる複数の読取光ビームを検出して、複数の平行記録トラックに記録されたデータを再生するにあたり、テープ状光記録媒体に入射する複数の光ビームに対するトラッキングサーボ制御を省略し、それに伴って、トラッキングサーボ制御のために備えられる構成部分を不要としたもとにおいて、データの再生を適正に行うことができるデータ再生装置、さらには、テープ状光記録媒体に各々にデータが記録されたものとされる複数の平行記録トラックを形成する記録状態と、テープ状光記録媒体に入射する複数の光ビームに対するトラッキングサーボ制御を省略し、それに伴って、トラッキングサーボ制御のために備えられる構成部分を不要としたもとにおいて、テープ状光記録媒体に各々にデータが記録されたものとして形成された複数の平行記録トラックに、複数の光ビームを入射させ、それによりテープ状光記録媒体から得られる複数の読取光ビームを検出して、複数の平行記録トラックに記録されたデータを再生するデータ再生を適正に行うことができるデータ記録再生装置を提供する。
【００２４】
【課題を解決するための手段】
本願の特許請求の範囲における請求項１から請求項４までのいずれかに記載されたデータ再生装置は、複数の平行記録トラックが形成され、それらのうちの隣り合う対の夫々に２個の直交符号が用いられて変調された２個のデータが記録されたテープ状光記録媒体を、駆動して走行させるテープ状光記録媒体駆動機構と、テープ状光記録媒体駆動機構により駆動されて走行するテープ状光記録媒体に、複数の光ビームをテープ状光記録媒体に形成された複数の平行記録トラックに到達させるべく入射させ、テープ状光記録媒体から複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００２５】
本願の特許請求の範囲における請求項５から請求項８までのいずれかに記載されたデータ再生装置は、複数の平行記録トラックが形成され、それらのうちの隣り合う対の夫々に２個の直交符号が用いられて変調された２個のデータが記録されたテープ状光記録媒体を、駆動して走行させるテープ状光記録媒体駆動機構と、テープ状光記録媒体駆動機構により駆動されて走行するテープ状光記録媒体に、複数の光ビームをテープ状光記録媒体に形成された複数の平行記録トラックに到達させるべく入射させ、テープ状光記録媒体から複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００２６】
本願の特許請求の範囲における請求項９から請求項１２までのいずれかに記載されたデータ再生装置は、複数の平行記録トラックが形成され、複数の平行記録トラックのうちの連接するＮ個（Ｎは２より大なる整数）の組の夫々にＮ個の直交符号が用いられて変調されたＮ個のデータが記録されたテープ状光記録媒体を、駆動して走行させるテープ状光記録媒体駆動機構と、テープ状光記録媒体駆動機構により駆動されて走行するテープ状光記録媒体に、複数の光ビームをテープ状光記録媒体に形成された複数の平行記録トラックに到達させるべく入射させ、テープ状光記録媒体から複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００２７】
本願の特許請求の範囲における請求項１３から請求項１６までのいずれかに記載されたデータ再生装置は、複数の平行記録トラックが形成され、それらのうちの連接するＮ個の夫々にＮ個の直交符号が用いられて変調されたＮ個のデータが記録されたテープ状光記録媒体を、駆動して走行させるテープ状光記録媒体駆動機構と、テープ状光記録媒体駆動機構により駆動されて走行するテープ状光記録媒体に、複数の光ビームをテープ状光記録媒体に形成された複数の平行記録トラックに到達させるべく入射させ、テープ状光記録媒体から複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数と同じ個数をもって、第１の受光素子群における各受光素子に対し、その１／２だけ変位して配列配置されて成る第２の受光素子群とを含んで構成され、第１及び第２の受光素子群における複数の受光素子が複数の検出出力信号を導出するものとされて、構成される。
【００２８】
本願の特許請求の範囲における請求項１７または請求項１８に記載されたデータ記録再生装置は、テープ状光記録媒体を駆動して走行させるテープ状光記録媒体駆動機構と、隣り合う対の夫々が２個の直交符号が用いられて変調された２個のデータに応じて変調される態様のもとに形成される複数の変調光ビーム、もしくは、複数の変調されていない光ビームを発する光ビーム発生部と、光ビーム発生部から得られる複数の変調光ビームもしくは複数の変調されていない光ビームをテープ状光記録媒体駆動機構により駆動されて走行するテープ状光記録媒体に入射させ、複数の変調光ビームにより、テープ状光記録媒体に、複数の平行記録トラックが形成されるとともにそれらのうちの隣り合う対の夫々に２個の直交符号が用いられて変調された２個のデータが記録される状態、もしくは、複数の変調されていない光ビームに基づいて、テープ状光記録媒体から、それに形成された隣り合う対の夫々に２個の直交符号が用いられて変調された２個のデータが記録されて成る複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００２９】
本願の特許請求の範囲における請求項１９または請求項２０に記載されたデータ記録再生装置は、テープ状光記録媒体を駆動して走行させるテープ状光記録媒体駆動機構と、隣り合う対の夫々が２個の直交符号が用いられて変調された２個のデータに応じて変調される態様のもとに形成される複数の変調光ビーム、もしくは、複数の変調されていない光ビームを発する光ビーム発生部と、光ビーム発生部から得られる複数の変調光ビームもしくは複数の変調されていない光ビームをテープ状光記録媒体駆動機構により駆動されて走行するテープ状光記録媒体に入射させ、複数の変調光ビームにより、テープ状光記録媒体に、複数の平行記録トラックが形成されるとともにそれらのうちの隣り合う対の夫々に２個の直交符号が用いられて変調された２個のデータが記録される状態、もしくは、複数の変調されていない光ビームに基づいて、テープ状光記録媒体から、それに形成された隣り合う対の夫々に２個の直交符号が用いられて変調された２個のデータが記録されて成る複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００３０】
本願の特許請求の範囲における請求項２１または請求項２２に記載されたデータ記録再生装置は、テープ状光記録媒体を駆動して走行させるテープ状光記録媒体駆動機構と、連接するＮ個の組の夫々がＮ個の直交符号が用いられて変調されたＮ個のデータに応じて変調される態様のもとに形成される複数の変調光ビーム、もしくは、複数の変調されていない光ビームを発する光ビーム発生部と、光ビーム発生部から得られる複数の変調光ビームもしくは複数の変調されていない光ビームをテープ状光記録媒体駆動機構により駆動されて走行するテープ状光記録媒体に入射させ、複数の変調光ビームにより、テープ状光記録媒体に、複数の平行記録トラックが形成されるとともにそれらのうちの連接するＮ個の組の夫々にＮ個の直交符号が用いられて変調されたＮ個のデータが記録される状態、もしくは、複数の変調されていない光ビームに基づいて、テープ状光記録媒体から、それに形成されたＮ個の組の夫々にＮ個の直交符号が用いられて変調されたＮ個のデータが記録されて成る複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００３１】
本願の特許請求の範囲における請求項２３または請求項２４に記載されたデータ記録再生装置は、テープ状光記録媒体を駆動して走行させるテープ状光記録媒体駆動機構と、連接するＮ個の組の夫々がＮ個の直交符号が用いられて変調されたＮ個のデータに応じて変調される態様のもとに形成される複数の変調光ビーム、もしくは、複数の変調されていない光ビームを発する光ビーム発生部と、光ビーム発生部から得られる複数の変調光ビームもしくは複数の変調されていない光ビームをテープ状光記録媒体駆動機構により駆動されて走行するテープ状光記録媒体に入射させ、複数の変調光ビームにより、テープ状光記録媒体に、複数の平行記録トラックが形成されるとともにそれらのうちの連接するＮ個の組の夫々にＮ個の直交符号が用いられて変調されたＮ個のデータが記録される状態、もしくは、複数の変調されていない光ビームに基づいて、テープ状光記録媒体から、それに形成されたＮ個の組の夫々にＮ個の直交符号が用いられて変調されたＮ個のデータが記録されて成る複数の平行記録トラックによって変調された複数の読取光ビームが得られる状態となす第１の光学系と、入射する光ビームに応じた検出出力信号を送出する光検出部と、テープ状光記録媒体から得られる複数の読取光ビームを光検出部に入射させる第２の光学系と、光検出部から複数の読取光ビームに応じて得られる複数の検出出力信号に演算処理を含んだ復元化処理を施して、複数の平行記録トラックに記録されたデータを再生する再生処理部とを備え、光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成され、第１及び第２の受光素子群における複数の受光素子が複数の検出出力信号を導出するものとされて、構成される。
【００３２】
上述の如くの本願の特許請求の範囲における請求項１から請求項８までのいずれかに記載されたデータ再生装置にあっては、隣り合う対の夫々に２個の直交符号が用いられて変調された２個のデータが記録されて成る複数の平行記録トラックが形成されたテープ状光記録媒体から得られる複数の読取光ビームが、第２の光学系を通じて光検出部に入射する。光検出部に入射する複数の読取光ビームの夫々は、各平行記録トラックの幅に対応する幅を有するものとされ、それにより、光検出部上に、各平行記録トラックの幅に対応する幅の光スポットを形成する。
【００３３】
また、複数の読取光ビームが得られるテープ状光記録媒体が、その幅方向（走行方向に直交する方向）に変動し、それに伴ってテープ状光記録媒体に形成された複数の平行記録トラックがテープ状光記録媒体の幅方向に移動すると、それに応じて光検出部における複数の読取光ビームの夫々の入射位置が、複数の受光素子が配列配置されて成る受光素子群に対して変動する。
【００３４】
このようなもとで、テープ状光記録媒体に形成された複数の平行記録トラックにあっては、奇数番目の記録トラック（奇数トラック）とそれに隣接する偶数番目の記録トラック（偶数トラック）とに、２個の直交符号が用いられて変調された２個のデータが記録されている。最も簡単な例をあげれば、奇数トラックには、＋１が＋１と−１との２ビットに変換され、また、−１が−１と＋１との２ビットに変換されて得られるデータが記録され、一方、偶数トラックには、＋１が＋１と＋１との２ビットに変換され、また、−１が−１と−１との２ビットに変換されて得られるデータが記録される。例えば、“＋１　＋１　−１　＋１”という４ビットのデータの場合、奇数トラックにおいては、“＋１　−１　＋１　−１　−１　＋１　＋１　−１　”という８ビットのデータに変換されて記録され、偶数トラックにおいては、“＋１　＋１　＋１　＋１　−１　−１　＋１　＋１　”という８ビットのデータに変換されて記録される。
【００３５】
それゆえ、テープ状光記録媒体から得られる複数の読取光ビームも、例えば、それらのうちの奇数トラックからのもの（奇数トラックビーム）が、＋１が＋１と−１との２ビットに変換され、また、−１が−１と＋１との２ビットに変換されて得られるデータに応じた変調を受けたものとされ、また、それに隣接する偶数トラックからのもの（偶数トラックビーム）が、＋１が＋１と＋１との２ビットに変換され、また、−１が−１と−１との２ビットに変換されて得られるデータに応じた変調を受けたものとされる。
【００３６】
光検出部において、上述の奇数トラックビームと偶数トラックビームとを共通の受光素子に入射させて検出し、再生処理部において、光検出部の各受光素子からの奇数トラックビームと偶数トラックビームとの両者が検出されて得られる検出出力があらわすデータについて、各クロック毎に、そのときのデータから１クロックだけ前のデータを減算する演算（１クロック分の遅延演算子をＤとして、〔１−Ｄ〕演算という）とそのときのデータに１クロックだけ前のデータを加算する演算（〔１＋Ｄ〕演算という）を行うこととすると、〔１−Ｄ〕演算により、奇数トラックビームについての検出出力に基づくデータが強調されて、偶数トラックビームについての検出出力に基づくデータが抑圧されることになる演算結果が得られ、また、〔１＋Ｄ〕演算によって、奇数トラックビームについての検出出力に基づくデータが抑圧されて、偶数トラックビームについての検出出力に基づくデータが強調されることになる演算結果が得られる。
【００３７】
このことを、以下に数式を用いて説明する。
【００３８】
奇数トラックに記録されたデータを、その変調前においてはＡｏ〔ｋ〕とあらわし、変調後においてはＢｏ〔ｋ〕とあらわすこととし、また、偶数トラックに記録されたデータを、その変調前においてはＡｅ〔ｋ〕とあらわし、変調後においてはＢｅ〔ｋ〕とあらわすこととする。ｉをクロック変数として、変調前において数１が成立するとすると、変調後においては数２が成立する。
【００３９】
【数１】
Ａｏ〔２・ｉ−１〕＝Ａｏ〔２・ｉ〕
Ａｅ〔２・ｉ−１〕＝Ａｅ〔２・ｉ〕
【００４０】
【数２】
Ｂｏ〔２・ｉ−１〕＝−Ｂｏ〔２・ｉ〕
Ｂｅ〔２・ｉ−１〕＝Ｂｅ〔２・ｉ〕
【００４１】
数１は、変調前において、Ａｏ〔ｋ〕及びＡｅ〔ｋ〕の夫々について、２クロックに亙って同じ値、即ち、２ビット同じ値が続くことを示し、数２は、変調後において、Ｂｏ〔ｋ〕については、１クロック毎、即ち、１ビット毎に反転することになり、Ｂｅ〔ｋ〕については、２クロックに亙って同じ値、即ち、２ビット同じ値が続くことを示している。
【００４２】
Ｂｏ〔ｋ〕により変調された奇数トラックビームとＢｅ〔ｋ〕により変調された偶数トラックビームとが、共通の受光素子により検出されて得られる検出出力があらわすデータをＣ〔ｋ〕とすると、Ｃ〔ｋ〕＝Ｂｏ〔ｋ〕＋Ｂｅ〔ｋ〕となる。
【００４３】
Ｃ〔ｋ〕に、Ｃ〔２・ｉ〕から１クロックだけ前のＣ〔２・ｉ−１〕を減算する〔１−Ｄ〕演算を施すと数３の関係が得られ、また、Ｃ〔ｋ〕に、Ｃ〔２・ｉ〕に１クロックだけ前のＣ〔２・ｉ−１〕を加算する〔１＋Ｄ〕演算を施すと数４の関係が得られる。
【００４４】
【数３】
2004054984.tif 000003
【００４５】
【数４】
2004054984.tif 000004
【００４６】
このようにして、奇数トラックビームと偶数トラックビームとを共通の受光素子に入射させて検出し、奇数トラックビームと偶数トラックビームとの両者に基づく検出出力が得られるようにしたもとで、〔１−Ｄ〕演算及び〔１＋Ｄ〕演算を行うことにより、奇数トラックビームについての検出出力に基づくデータ、及び、偶数トラックビームについての検出出力に基づくデータを、夫々、適正に得ることができることになる。
【００４７】
奇数トラックビームと偶数トラックビームとを共通の受光素子に入射させて検出する場合、検出しようする奇数トラックビームと偶数トラックビームとの対にその両端側において隣接する奇数トラックビームもしくは偶数トラックビームまでが、共通の受光素子に入射して検出されることになると、それにより、〔１−Ｄ〕演算及び〔１＋Ｄ〕演算の夫々の結果にノイズ成分が混入することになる不都合を生じる。そこで、奇数トラックビームと偶数トラックビームとを共通の受光素子により検出するにあたっては、検出しようする奇数トラックビームと偶数トラックビームとの対にその両端側において隣接する奇数トラックビームもしくは偶数トラックビームまでが入射することを防ぐべく、受光素子の幅を、各読取ビームの幅の２倍以下とすることが必要とされる。
【００４８】
従って、斯かる際における受光素子の幅は、各読取ビームの幅の２倍以下であればよいことになるが、一般に、受光素子にあっては、幅が小とされる程それから得られる検出出力についての信号対雑音比（Ｓ／Ｎ比）が劣化するので、各読取光ビームの幅の２倍とするのが望ましいこととなる。
【００４９】
図１６は、１個の受光素子に奇数トラックビームと偶数トラックビームとが入射する状態を示している。図１６において、奇数トラックビームＺｏ及び偶数トラックビームＺｅの夫々は、その幅をＴｗとしている。この幅Ｔｗは、テープ状光記録媒体に複数の光ビームを入射させる第１の光学系の横倍率が、最大と最小との間の基準の値（例えば、１）をとるもとで得られるものとする。
【００５０】
これに対して、受光素子ＰＤａと受光素子ＰＤｂとは、夫々が幅を２・Ｔｗとし、夫々の位置が距離Ｔｗだけ各々の幅方向に変位しているものとされている。
【００５１】
そして、受光素子ＰＤａには、その中央部に奇数トラックビームＺｏが全体的に入射するとともに、その両側部に偶数トラックビームＺｅが半分ずつ入射している。このようなもとで、テープ状光記録媒体に形成された複数の平行記録トラックの基準の位置からのテープ状光記録媒体の幅方向の変動があり、それに伴って、受光素子ＰＤａに対する奇数トラックビームＺｏ及び偶数トラックビームＺｅの入射位置が変動しても、奇数トラックビームＺｏが全体的に入射する状態のもとで、それに隣接する偶数トラックビームＺｅにさらに隣接する他の奇数トラックビームＺｏが入射することはない。
【００５２】
このようなもとで、受光素子ＰＤａから得られる検出出力に基づくデータに〔１−Ｄ〕演算を施すことにより、奇数トラックビームＺｏについての検出出力に基づくデータ、即ち、テープ状光記録媒体における奇数トラックに記録されたデータを適正に得ることができる。
【００５３】
また、受光素子ＰＤｂには、その中央部に偶数トラックビームＺｅが全体的に入射するとともに、その両側部に奇数トラックビームＺｏが半分ずつ入射している。このようなもとで、テープ状光記録媒体に形成された複数の平行記録トラックの基準の位置からのテープ状光記録媒体の幅方向の変動があり、それに伴って、受光素子ＰＤｂに対する偶数トラックビームＺｅ及び奇数トラックビームＺｏの入射位置が変動しても、偶数トラックビームＺｅが全体的に入射する状態のもとで、それに隣接する奇数トラックビームＺｏにさらに隣接する他の偶数トラックビームＺｅが入射することはない。
【００５４】
このようなもとで、受光素子ＰＤｂから得られる検出出力に基づくデータに〔１＋Ｄ〕演算を施すことにより、偶数トラックビームＺｅについての検出出力に基づくデータ、即ち、テープ状光記録媒体における偶数トラックに記録されたデータを適正に得ることができる。
【００５５】
図１６においては、テープ状光記録媒体に複数の光ビームを入射させる第１の光学系の横倍率が、最大と最小との間の基準の値（例えば、１）をとるもとで、テープ状光記録媒体からの読取光ビームが形成されるが、実際には、第１の光学系の横倍率は、例えば、第１の光学系の焦点距離が使用状態のもとでの温度変化によって変動することに伴って変動し、最小の値ＦＬ（０＜ＦＬ＜１）と最大の値ＦＨ（１＜ＦＨ）との間の値をとることになる。
【００５６】
そこで、奇数トラックビームと偶数トラックビームとを共通の受光素子により検出するにあたり、検出しようする奇数トラックビームと偶数トラックビームとの対にその両端側において隣接する奇数トラックビームもしくは偶数トラックビームまでが入射することを防ぐべく、受光素子の幅を各読取光ビームの幅の２倍以下とするにあたっては、各読取光ビームの幅としてその最小の値をとるもの、即ち、テープ状光記録媒体に複数の光ビームを入射させる第１の光学系の横倍率が最小の値ＦＬをとるもとにおける各読取光ビームの幅ＦＬ・Ｔｗ、を対象にして設定する必要がある。
【００５７】
従って、奇数トラックビームと偶数トラックビームとを共通の受光素子により検出するためには、受光素子の幅Ｄｗを、テープ状光記録媒体に複数の光ビームを入射させる第１の光学系の横倍率が最小の値ＦＬをとるもとにおける各読取光ビームの幅ＦＬ・Ｔｗの２倍以下、即ち、Ｄｗ≦２・ＦＬ・Ｔｗに設定することが必要とされ、受光素子から得られる検出出力についてのＳ／Ｎ比等を考慮するとＤｗ＝２・ＦＬ・Ｔｗとするのがよいことになる。
【００５８】
ここで、テープ状光記録媒体に形成された複数の平行記録トラックの個数、従って、テープ状光記録媒体から得られる複数の読取光ビームの個数をＮｒとすると、第１の光学系の横倍率が最大の値ＦＨをとるもとにおいて、光検出部には、各々が幅ＦＨ・Ｔｗを有したＮｒ個の読取光ビームが、各々の幅方向に配列されて、Ｎｒ・ＦＨ・Ｔｗの幅に亙って入射する。この幅Ｎｒ・ＦＨ・Ｔｗが、光検出部におけるＮｒ個の読取光ビームの入射幅の最大の値となる。
【００５９】
さらに、テープ状光記録媒体に形成されたＮｒ個の平行記録トラックの基準の位置からのテープ状光記録媒体の幅方向の変動に伴う、Ｎｒ個の読取光ビームの光検出部における変位の最大値（最大変位距離）をｄＴとすると、斯かる最大変位距離ｄＴをもってのＮｒ個の読取光ビームの光検出部における変位は、Ｎｒ個の読取光ビームの入射幅方向に、互いに逆となる二つの向きのいずれかをもって生じる。従って、このような、Ｎｒ個の平行記録トラックの基準の位置からの変動に伴うＮｒ個の読取光ビームの光検出部における変位を考慮すると、光検出部においてＮｒ個の読取光ビームが入射する可能性がある範囲Ｄｘは、数５によってあらわされることになる。
【００６０】
【数５】
Ｄｘ＝Ｎｒ・ＦＨ・Ｔｗ＋２・ｄＴ
【００６１】
斯かる数５によりあらわされる範囲Ｄｘに入射する可能性があるＮｒ個の読取光ビームを、例えば、前述の如くに幅Ｄｗ≦２・ＦＬ・Ｔｗを有するものとされる受光素子を複数個用いて受けるためには、斯かる受光素子を、範囲Ｄｘの全体に亙らせるべく、第１の受光素子群と第２の受光素子群とに配列配置し、その際、第２の受光素子群を形成する受光素子の夫々が、第１の受光素子群を形成する受光素子の夫々に対して、その幅の１／２（Ｄｗ／２）だけ幅方向に変位したものとなるようにすればよい。このように第１の受光素子群と第２の受光素子群とに配列配置される受光素子は、第２の受光素子群を形成する受光素子の夫々が第１の受光素子を形成する受光素子の夫々に対して、その幅の１／２（Ｄｗ／２）だけ幅方向に変位したものとされることにより、範囲Ｄｘの全体に亙るにあたり、第２の受光素子群を形成する受光素子の個数は、第１の受光素子群を形成する受光素子の個数より１個だけ少ない個数で足りることになる。
【００６２】
図１７は、斯かる幅Ｄｗ≦２・ＦＬ・Ｔｗを有するものとされる受光素子の配列配置の例を示す。図１７にあっては、各々が幅Ｄｗ＝２・ＦＬ・Ｔｗを有するものとされた複数の受光素子ＰＤＯが第１の受光素子群を形成し、各々が幅Ｄｗ＝２・ＦＬ・Ｔｗを有するものとされた複数の受光素子ＰＤＥが第２の受光素子群を形成している。そして、複数の受光素子ＰＤＥの夫々は、複数の受光素子ＰＤＯの夫々に対して、Ｄｗ／２だけ配列方向に変位したものとされており、複数の受光素子ＰＤＥの個数は、複数の受光素子ＰＤＯの個数より１個だけ少なくされている。
【００６３】
このようなもとで、複数の受光素子ＰＤＯの個数は、数６によってあらわされる値Ｎｏ以上の整数とされ、また、複数の受光素子ＰＤＥの個数は、数７によってあらわされる値Ｎｅ以上の整数であって、複数の受光素子ＰＤＯの個数より１だけ少ないものとされることになる。
【００６４】
【数６】
2004054984.tif 000005
【００６５】
【数７】
2004054984.tif 000006
【００６６】
図１７にあっては、Ｄｘ＞Ｄｗ・（Ｎｅ＋１／２）とされており、Ｎｒ個の読取光ビームの両端部のものは、夫々、複数の受光素子ＰＤＯの両端部のものに入射するものとされるが、Ｄｘ≦Ｄｗ・（Ｎｅ＋１／２）とされる場合には、複数の受光素子ＰＤＯの個数も複数の受光素子ＰＤＥの個数と同数とすることが可能である。
【００６７】
図１８は、Ｄｘ≦Ｄｗ・（Ｎｅ＋１／２）であり、複数の受光素子ＰＤＯの個数及び複数の受光素子ＰＤＥの個数の両者が、同数であって、数７によってあらわされる値Ｎｅ以上の整数とされる状態をあらわす。この場合には、Ｎｒ個の読取光ビームの両端部のうちの一方のものは、複数の受光素子ＰＤＯの一端部のものに入射するものとされ、また、Ｎｒ個の読取光ビームの両端部のうちの他方のものは、複数の受光素子ＰＤＥの一端部のものに入射するものとされる。
【００６８】
例えば、ｄＴ＝３・Ｔｗ／２，ＦＬ＝３／４，ＦＨ＝５／４とすると、数５より、Ｄｘ＝８・Ｔｗとなり、また、数６よりして、Ｎｏ＝１６／３＝５．３３３となり、さらに、数７よりして、Ｎｅ＝１６／３−１＝４．３３３となる。従って、図１７に示される場合、複数の受光素子ＰＤＯの個数は６個で足り、複数の受光素子ＰＤＥの個数は５個で足りる。また、図１８に示される場合には、複数の受光素子ＰＤＯの個数及び複数の受光素子ＰＤＥの個数はいずれも５個で足りる。
【００６９】
このようにして、光検出部において、各々が幅Ｄｗ≦２・ＦＬ・Ｔｗを有するものとされる受光素子を、数６によりあらわされる値Ｎｏ以上の整数とされる個数をもって第１の受光素子群を形成するとともに、数７によりあらわされる値Ｎｅ以上の整数とされる個数をもって第２の受光素子群を形成し、第２の受光素子群を形成するものが、第１の受光素子群を形成するものに対して、その幅の１／２（Ｄｗ／２）だけ幅方向に変位したものとなるように配列配置することにより、あるいは、各々が幅Ｄｗ≦２・ＦＬ・Ｔｗを有するものとされる受光素子を、数７によりあらわされる値Ｎｅ以上の整数とされる個数をもって第１及び第２の受光素子群の夫々を形成し、第２の受光素子群を形成するものが、第１の受光素子群を形成するものに対して、その幅の１／２（Ｄｗ／２）だけ幅方向に変位したものとなるように配列配置することにより、テープ状光記録媒体に形成されたＮｒ個の平行記録トラックの基準の位置からのテープ状光記録媒体の幅方向の変動があり、それに伴って、光検出部におけるＮｒ個の読取光ビームの入射位置が変動するもとにおいても、配列配置された複数の受光素子によってＮｒ個の読取光ビームのいずれをも適正に検出することができる。それにより、再生処理部において、光検出部から得られる検出出力信号に基づき、Ｎｒ個の平行記録トラックに記録されたデータが適正に再生される状態となすことができる。
【００７０】
本願の特許請求の範囲における請求項１から請求項８までのいずれかに記載されたデータ再生装置にあっては、以上の考察結果を、実際に、隣り合う対の夫々に２個の直交符号が用いられて変調された２個のデータが記録されて成る複数の平行記録トラックが形成されたテープ状光記録媒体から得られる複数の読取光ビームを検出して、複数の平行記録トラックに記録されたデータを再生する装置に適用することとして、光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成されるもの、あるいは、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成されるものとされている。そして、複数の受光素子から複数の読取光ビームの夫々についての検出出力信号が導出される。
【００７１】
このような光検出部を備えることにより、テープ状光記録媒体における、隣り合う対の夫々に２個の直交符号が用いられて変調された２個のデータが記録されて成る複数の平行記録トラックに、夫々入射する複数の光ビームについてのトラッキングサーボ制御を省略したもとで、複数の平行記録トラックに記録されたデータを適正に再生することができることになる。
【００７２】
本願の特許請求の範囲における請求項９から請求項１６までのいずれかに記載されたデータ再生装置にあっては、連接するＮ個の組の夫々にＮ個の直交符号が用いられて変調されたＮ個のデータが記録されて成る複数の平行記録トラックが形成されたテープ状光記録媒体から得られる複数の読取光ビームが、第２の光学系を通じて光検出部に入射する。光検出部に入射する複数の読取光ビームの夫々は、各平行記録トラックの幅に対応する幅を有するものとされ、それにより、光検出部上に、各平行記録トラックの幅に対応する幅の光スポットを形成する。
【００７３】
斯かるもとで、光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成されるもの、あるいは、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成されるものとされている。そして、複数の受光素子から複数の読取光ビームの夫々についての検出出力信号が導出される。
【００７４】
このような光検出部を備えることにより、請求項１から請求項８までのいずれかに記載されたデータ再生装置の場合と同様にして、テープ状光記録媒体における、連接するＮ個の組の夫々にＮ個の直交符号が用いられて変調されたＮ個のデータが記録されて成る複数の平行記録トラックに、夫々入射する複数の光ビームについてのトラッキングサーボ制御を省略したもとで、複数の平行記録トラックに記録されたデータを適正に再生することができる。
【００７５】
本願の特許請求の範囲における請求項１７から請求項２０までのいずれかに記載されたデータ記録再生装置にあっては、光ビーム発生部及び第１の光学系により、テープ状光記録媒体に、複数の変調光ビームによる複数の平行記録トラックが形成されるとともにそれらのうちの隣り合う対の夫々に２個の直交符号が用いられて変調された２個のデータが記録される状態である記録状態、もしくは、複数の変調されていない光ビームに基づいて、テープ状光記録媒体から、それに形成された隣り合う対の夫々に２個の直交符号が用いられて変調された２個のデータが記録されて成る複数の平行記録トラックによって変調された複数の読取光ビームが得られる状態である再生状態がとられる。そして、複数の読取光ビームが入射する光検出部が、請求項１から請求項８までのいずれかに記載されたデータ再生装置に備えられる光検出部と同様なものとされ、再生状態がとられる際には、請求項１から請求項８までのいずれかに記載されたデータ再生装置の場合と同様にして、テープ状光記録媒体における、隣り合う対の夫々に２個の直交符号が用いられて変調された２個のデータが記録されて成る複数の平行記録トラックに、夫々入射する複数の光ビームについてのトラッキングサーボ制御を省略したもとで、複数の平行記録トラックに記録されたデータを適正に再生することができることになる。
【００７６】
本願の特許請求の範囲における請求項２１から請求項２４までのいずれかに記載されたデータ記録再生装置にあっては、光ビーム発生部及び第１の光学系により、テープ状光記録媒体に、複数の変調光ビームによる複数の平行記録トラックが形成されるとともにそれらのうちの連接するＮ個の組の夫々にＮ個の直交符号が用いられて変調されたＮ個のデータが記録される状態である記録状態、もしくは、複数の変調されていない光ビームに基づいて、テープ状光記録媒体から、それに形成されたＮ個の組の夫々にＮ個の直交符号が用いられて変調されたＮ個のデータが記録されて成る複数の平行記録トラックによって変調された複数の読取光ビームが得られる状態である再生状態がとられる。そして、複数の読取光ビームが入射する光検出部が、請求項９から請求項１６までのいずれかに記載されたデータ再生装置に備えられる光検出部と同様なものとされ、再生状態がとられる際には、請求項９から請求項１６までのいずれかに記載されたデータ再生装置の場合と同様にして、テープ状光記録媒体における、連接するＮ個の組の夫々にＮ個の直交符号が用いられて変調されたＮ個のデータが記録されて成る複数の平行記録トラックに、夫々入射する複数の光ビームについてのトラッキングサーボ制御を省略したもとで、複数の平行記録トラックに記録されたデータを適正に再生することができる。
【００７７】
【発明の実施の形態】
図１は、本願の特許請求の範囲における請求項１から請求項１６までのいずれかに記載された発明に係るデータ再生装置の一例の要部を示す。
【００７８】
図１に示されるデータ再生装置の例にあっては、光テープ４０が巻装されて、その巻装された光テープ４０を送り出す供給リール４１と、光テープ４０を巻き取る巻取リール４２とが備えられる。そして、供給リール４１と巻取リール４２との間における光テープ４０は、フリクション・キャプスタン４３によって、供給リール４１から巻取リール４２へと矢印Ｔにより示される方向に走行すべく駆動される。
【００７９】
光テープ４０は、その走行方向に沿って伸びる複数の平行記録トラックが形成されたものとされており、複数の平行記録トラックは、それらのうちの隣り合う対の夫々に２個の直交符号が用いられて変調された２個のデータが記録されたもの、あるいは、それらのうちの連接するＮ個の組の夫々にＮ個の直交符号が用いられて変調されたＮ個のデータが記録されたものとされている。
【００８０】
また、図１に示されるデータ再生装置の例にあっては、フリクション・キャプスタン４３によって駆動される光テープ４０を、予め設定された位置を安定に走行するものとするための、複数の位置決め部材４４，一対のテンション・レギュレータ４５及び走行案内部４６が設けられている。複数の位置決め部材４４は、光テープ４０の走行経路を設定し、一対のテンション・レギュレータ４５は、供給リール４１と巻取リール４２との間における光テープ４０に、スプリング４７の付勢力によって所定の張力を与える。走行案内部４６は、走行する光テープ４０を案内し、そこを通過する光テープ４０に、レーザ光源及び再生処理部を含んだ光ビーム制御・信号処理部４８からのレーザ光ビームが入射することになるものとされる。
【００８１】
上述の、供給リール４１，巻取リール４２，フリクション・キャプスタン４３，複数の位置決め部材４４，一対のテンション・レギュレータ４５及び走行案内部４６を含んだ構成は、複数の平行記録トラックが形成された光テープ４０を駆動して走行させるテープ状光記録媒体駆動機構を形成している。
【００８２】
光ビーム制御・信号処理部４８は、具体的には、例えば、図２に示される如くに構成される。図２に示される光ビーム制御・信号処理部４８の具体構成例にあっては、例えば、複数の直線偏光のレーザ光ビームを連続的に発するレーザ光源５１が備えられている。レーザ光源５１から発せられた複数のレーザ光ビームは、例えば、光ビーム平行化レンズを含んだ光学系５２により平行ビーム化されて、偏光ビームスプリッタ５３に入射する。
【００８３】
光学系５２を通じた複数のレーザ光ビームの夫々は直線偏光であって、その偏光面が偏光ビームスプリッタ５３を透過するものとなるように選定される。それにより、光学系５２から偏光ビームスプリッタ５３に入射する複数のレーザ光ビームは、偏光ビームスプリッタ５３を透過して進み、１／４波長板５４を通じて光ビーム制御を行う光学系５５に入り、光学系５５が複数のレーザ光ビームを光テープ４０に入射させる。
【００８４】
その際、光学系５５は、１／４波長板５４を通じた複数のレーザ光ビームを、光テープ４０に、それに形成された複数の平行記録トラックに夫々到達させるべく入射させるとともに、光テープ４０に入射する複数のレーザ光ビームの夫々に、光テープ４０上において適正なフォーカス状態をとらせるためのフォーカスサーボ制御を行う。
【００８５】
光テープ４０に形成された複数の平行記録トラックに夫々入射した複数のレーザ光ビームの各々は、各平行記録トラックに記録された情報に応じて変調されるとともに各平行記録トラックにおいて反射し、読取レーザ光ビームとして光テープ４０から光学系５５に向かうものとされる。光テープ４０から得られる複数の読取レーザ光ビームは、光学系５５及び１／４波長板５４を通過して、偏光ビームスプリッタ５３に入射する。この偏光ビームスプリッタ５３に入射する光テープ４０から得られる複数の読取レーザ光ビームは、１／４波長板５４を往復して通過したことになるので、偏光ビームスプリッタ５３に入射する光学系５２からの複数のレーザ光ビームに比して偏光面が９０°回転したものとなっており、偏光ビームスプリッタ５３において図２における右方に反射する。
【００８６】
偏光ビームスプリッタ５３において反射した複数の読取レーザ光ビームは、光ビームスプリッタ５６に入射し、その一部が、光ビームスプリッタ５６において図２における下方に反射され、例えば、シリンドリカルレンズ等の光学素子５７を通じて、フォーカス検出部５８に入射するとともに、他の一部が、光ビームスプリッタ５６を透過し、例えば、集光レンズ等の光学素子５９を通じて、光ビーム分岐光学系６０に入射する。
【００８７】
フォーカス検出部５８は、光学素子５７を通じて入射する複数の読取レーザ光ビームに応じて、光テープ４０に入射する複数のレーザ光ビームについてのフォーカス状態をあらわす出力信号ＳＦを送出する。この出力信号ＳＦは、例えば、光学系５５による、光テープ４０に入射する複数のレーザ光ビームの夫々に光テープ４０上において適正なフォーカス状態をとらせるためのフォーカスサーボ制御に用いられる。
【００８８】
光ビーム分岐光学系６０は、例えば、ビーム形成ホログラム、あるいは、ウーラストン・プリズム（Ｗｏｌｌａｓｔｏｎ　Ｐｒｉｓｍ）等が用いられて構成され、光学素子５９を通じて入射する複数の読取レーザ光ビームの各々を２個に分岐し、第１の複数の読取レーザ光ビームの組と第２の複数の読取レーザ光ビームの組とを形成して、それらを光検出部６１に入射させる。
【００８９】
光検出部６１は、複数の受光素子が配列配置されて成る第１及び第２の受光素子群を含んで構成される。第１の受光素子群は、光ビーム分岐光学系６０からの第１の複数の読取レーザ光ビームの組が入射する位置に配され、また、第２の受光素子群は、光ビーム分岐光学系６０からの第２の複数の読取レーザ光ビームの組が入射する位置に配される。
【００９０】
斯かる第１及び第２の受光素子群を含んだ光検出部６１の構成は、光テープ４０に形成された複数の平行記録トラックが、それらのうちの隣り合う対の夫々に２個の直交符号が用いられて変調された２個のデータが記録されたものである場合と、それらのうちの連接するＮ個の組の夫々にＮ個の直交符号が用いられて変調されたＮ個のデータが記録されたものである場合とで、異なったものとされる。
【００９１】
光テープ４０に形成された複数の平行記録トラックが、それらのうちの隣り合う対の夫々に２個の直交符号が用いられて変調された２個のデータが記録されたものである場合には、光検出部６１における第１及び第２の受光素子群は、例えば、図３に示される如くの例（第１の例）もしくは図４に示される如くの例（第２の例）のようにされる。
【００９２】
図３に示される如くの例にあっては、第１の受光素子群が、受光素子ＰＤ１，ＰＤ３，ＰＤ５，ＰＤ７，ＰＤ９及びＰＤ１１を含んだ複数（６個）の受光素子ＰＤＯが一列を成すべく配列配置されて形成され、第２の受光素子群が、受光素子ＰＤ２，ＰＤ４，ＰＤ６，ＰＤ８及びＰＤ１０を含んだ複数（５個）の受光素子ＰＤＥが一列を成すべく配列配置されて形成される。その際、複数の受光素子ＰＤＯ及びＰＤＥの夫々の幅及び配列配置状態が、以下のように設定される。
【００９３】
複数のレーザ光ビームを光テープ４０に形成された複数の平行記録トラックに夫々到達させるべく入射させる光学系５５の横倍率が最小（ＦＬ）とされたもとで、光テープ４０に形成された複数の平行記録トラックから夫々得られる、複数の読取レーザ光ビームの各々の幅をＴｗｍ＝ＦＬ・Ｔｗ（Ｔｗは、光学系５５の横倍率が最大と最小との間の基準の値（例えば、１）をとるもとでの読取レーザ光ビームの幅）として、複数の受光素子ＰＤＯ及びＰＤＥの夫々の幅は、読取レーザ光ビームの幅Ｔｗｍ＝ＦＬ・Ｔｗの２倍以下、即ち、２・Ｔｗｍ＝２・ＦＬ・Ｔｗ以下とされる。図３においては、複数の受光素子ＰＤＯ及びＰＤＥの夫々の幅が、Ｔｗｍ＝ＦＬ・Ｔｗの２倍、即ち、２・Ｔｗｍ＝２・ＦＬ・Ｔｗに選定されている。
【００９４】
そして、各々が幅をＴｗｍ＝ＦＬ・Ｔｗの２倍以下とする複数の受光素子ＰＤＯが配列配置されて形成される第１の受光素子群が、光学系５５の横倍率が最大（ＦＨ）とされるもとで光検出部６１に入射する第１及び第２の複数の読取レーザ光ビームの組の夫々についての入射位置が、複数の平行記録トラックの基準位置からの変動が最大とされるとき変動する範囲、即ち、光検出部６１において第１及び第２の複数の読取レーザ光ビームの組の夫々が入射する可能性がある範囲Ｄｘの全体に亙るものとされる。
【００９５】
また、各々が幅をＴｗｍ＝ＦＬ・Ｔｗの２倍以下とする複数の受光素子ＰＤＥが配列配置されて形成される第２の受光素子群が、それを形成する複数の受光素子ＰＤＥの個数が、第１の受光素子群を形成する複数の受光素子ＰＤＯの個数より１個だけ少ないものとされるとともに、複数の受光素子ＰＤＥの夫々、即ち、受光素子ＰＤ２，ＰＤ４，ＰＤ６，ＰＤ８及びＰＤ１０の各々が、第１の受光素子を形成する複数の受光素子ＰＤＯの夫々、即ち、受光素子ＰＤ１，ＰＤ３，ＰＤ５，ＰＤ７，ＰＤ９及びＰＤ１１の各々に対し、その幅２・Ｔｗｍ＝２・ＦＬ・Ｔｗ以下の１／２、即ち、Ｔｗｍ＝ＦＬ・Ｔｗ以下だけ変位した位置に配される。図３にあっては、複数の受光素子ＰＤＯ及びＰＤＥの夫々の幅がＴｗｍ＝ＦＬ・Ｔｗの２倍、即ち、２・Ｔｗｍ＝２・ＦＬ・Ｔｗに選定されているので、受光素子ＰＤ２，ＰＤ４，ＰＤ６，ＰＤ８及びＰＤ１０の各々は、受光素子ＰＤ１，ＰＤ３，ＰＤ５，ＰＤ７，ＰＤ９及びＰＤ１１の各々に対し、Ｔｗｍ＝ＦＬ・Ｔｗだけ変位した位置に配されている。
【００９６】
そして、この場合には、範囲Ｄｘが、複数の受光素子ＰＤＥにより形成される第２の受光素子群の全長に複数の受光素子ＰＤＥの夫々の幅の１／２を加えた長さ（図３にあっては、１１・Ｔｗｍ＝１１・ＦＬ・Ｔｗ）より大とされている。
【００９７】
このような図３に示される如くの光検出部６１の例にあっては、各々が幅を２・Ｔｗｍ＝２・ＦＬ・Ｔｗ以下とするものとされた複数の受光素子ＰＤＯが、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置されて成る第１の受光素子群と、各々が幅を２・Ｔｗｍ＝２・ＦＬ・Ｔｗ以下とするものとされた複数の受光素子ＰＤＥが、第１の受光素子群における複数の受光素子ＰＤＯの個数より１だけ少ない個数をもって、第１の受光素子群における複数の受光素子ＰＤＯの夫々に対し、その幅の１／２だけ変位して配列配置されて成り、第２の複数の読取レーザ光ビームの組が入射する第２の受光素子群とを含んで構成されていることになる。
【００９８】
また、図４に示される如くの例にあっては、第１の受光素子群が、受光素子ＰＤ１，ＰＤ３，ＰＤ５，ＰＤ７及びＰＤ９を含んだ複数（５個）の受光素子ＰＤＯが一列を成すべく配列配置されて形成され、第２の受光素子群が、受光素子ＰＤ２，ＰＤ４，ＰＤ６，ＰＤ８及びＰＤ１０を含んだ複数（５個）の受光素子ＰＤＥが一列を成すべく配列配置されて形成される。その際、複数の受光素子ＰＤＯ及びＰＤＥの夫々の幅及び配列配置状態が、以下のように設定される。
【００９９】
複数の受光素子ＰＤＯ及びＰＤＥの夫々の幅は、読取レーザ光ビームの幅Ｔｗｍ＝ＦＬ・Ｔｗの２倍以下、即ち、２・Ｔｗｍ＝２・ＦＬ・Ｔｗ以下とされる。図４においては、複数の受光素子ＰＤＯ及びＰＤＥの夫々の幅が、Ｔｗｍ＝ＦＬ・Ｔｗの２倍、即ち、２・Ｔｗｍ＝２・ＦＬ・Ｔｗに選定されている。
【０１００】
そして、各々が幅をＴｗｍ＝ＦＬ・Ｔｗの２倍以下とする複数の受光素子ＰＤＯが配列配置されて形成される第１の受光素子群が、範囲Ｄｘの全体に亙るものとされるに要される受光素子ＰＤＯの個数より１だけ少ない個数の受光素子ＰＤＯの配列配置を有するものとされる。
【０１０１】
また、各々が幅をＴｗｍ＝ＦＬ・Ｔｗの２倍以下とする複数の受光素子ＰＤＥが配列配置されて形成される第２の受光素子群が、それを形成する複数の受光素子ＰＤＥの個数が、第１の受光素子群を形成する複数の受光素子ＰＤＯの個数と同数とされるとともに、複数の受光素子ＰＤＥの夫々、即ち、受光素子ＰＤ２，ＰＤ４，ＰＤ６，ＰＤ８及びＰＤ１０の各々が、第１の受光素子を形成する複数の受光素子ＰＤＯの夫々、即ち、受光素子ＰＤ１，ＰＤ３，ＰＤ５，ＰＤ７及びＰＤ９の各々に対し、その幅２・Ｔｗｍ＝２・ＦＬ・Ｔｗ以下の１／２、即ち、Ｔｗｍ＝ＦＬ・Ｔｗ以下だけ変位した位置に配される。図４にあっては、複数の受光素子ＰＤＯ及びＰＤＥの夫々の幅がＴｗｍ＝ＦＬ・Ｔｗの２倍、即ち、２・Ｔｗｍ＝２・ＦＬ・Ｔｗに選定されているので、受光素子ＰＤ２，ＰＤ４，ＰＤ６，ＰＤ８及びＰＤ１０の各々は、受光素子ＰＤ１，ＰＤ３，ＰＤ５，ＰＤ７及びＰＤ９の各々に対し、Ｔｗｍ＝ＦＬ・Ｔｗだけ変位した位置に配されている。
【０１０２】
そして、この場合には、範囲Ｄｘが、複数の受光素子ＰＤＥにより形成される第２の受光素子群の全長に複数の受光素子ＰＤＥの夫々の幅の１／２を加えた長さ（図４にあっては、１１・Ｔｗｍ＝１１・ＦＬ・Ｔｗ）以下とされている。
【０１０３】
このような図４に示される如くの光検出部６１の例にあっては、各々が幅を２・Ｔｗｍ＝２・ＦＬ・Ｔｗ以下とするものとされた複数の受光素子ＰＤＯが、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置される場合より、１個だけ少ない個数をもって配列配置されて成る第１の受光素子群と、各々が幅を２・Ｔｗｍ＝２・ＦＬ・Ｔｗ以下とするものとされた複数の受光素子ＰＤＥが、第１の受光素子群における複数の受光素子ＤＰＯの個数と同じ個数をもって、第１の受光素子群における複数の受光素子ＤＰＯの夫々に対し、その幅の１／２だけ変位して配列配置されて成り、第２の複数の読取レーザ光ビームの組が入射する第２の受光素子群とを含んで構成されていることになる。
【０１０４】
図５〜図１０は、光検出部６１において第１及び第２の複数の読取レーザ光ビームの組の夫々が入射する可能性がある範囲Ｄｘに対して図４に示される如くに配列配置された、複数の受光素子ＰＤＯ及びＰＤＥによって形成される第１及び第２の受光素子群が設けられた光検出部６１の例に対する、第１及び第２の複数の読取レーザ光ビームの組の夫々を成す４個の読取レーザ光ビームＺＡ，ＺＢ，ＺＣ及びＺＤの入射状態を示す。ここでは、光学系５５の横倍率の最小ＦＬ及び最大ＦＨが、ＦＬ＝３Ｔｗ／４及びＦＨ＝５Ｔｗ／４とされている。また、複数の受光素子ＰＤＯ及びＰＤＥの夫々は、その全体の１／２以上の面積に亙って読取レーザ光ビームＺＡ〜ＺＤのうちの一つが入射するとき、それについての適正な検出出力が得られるものとされる。さらに、第１及び第２の受光素子群についての複数の受光素子ＰＤＯ及びＰＤＥの配列方向における中央の位置がＹ＝０とされている。
【０１０５】
図５のＡ〜Ｇは、光学系５５の横倍率が最大と最小との間の基準の値（例えば、１）をとるものとされるもとでの、複数の受光素子ＰＤＯが配列配置されて形成される第１の受光素子群及び複数の受光素子ＰＤＥが配列配置されて形成される第２の受光素子群に対する４個の読取レーザ光ビームＺＡ〜ＺＤの入射状態を示す。図６に示される如く、複数の受光素子ＰＤＯ及びＰＤＥの夫々は、幅が２・ＦＬ・Ｔｗ＝３Ｔｗ／２とされており、また、光学系５５の横倍率が最大と最小との間の基準の値（例えば、１）をとるものとされるもとにあっては、読取レーザ光ビームＺＡ〜ＺＤの夫々の幅はＴｗである。
【０１０６】
図５のＤは、光テープ４０に形成された複数の平行記録トラックの基準位置からの光テープ４０の幅方向（走行方向に直交する方向）の変動が無く、それに伴って、読取レーザ光ビームＺＡ〜ＺＤの第１及び第２の受光素子群の夫々に対する入射位置のＹ＝０の位置に対する変動が無い場合を示す。なお、読取レーザ光ビームＺＡ〜ＺＤの第１及び第２の受光素子群の夫々に対する入射位置のＹ＝０の位置に対する変動を、図５における下方への変動については−を付してあらわし、図５における上方への変動については＋を付してあらわす。
【０１０７】
図５のＣ，Ｂ及びＡは、複数の平行記録トラックの基準位置からの変動に伴う、読取レーザ光ビームＺＡ〜ＺＤの第１及び第２の受光素子群の夫々に対する入射位置のＹ＝０の位置に対する変動が、−Ｔｗ／８，−Ｔｗ／２及び−３・Ｔｗ／２である場合を夫々示す。また、図５のＥ，Ｆ及びＧは、複数の平行記録トラックの基準位置からの変動に伴う、読取レーザ光ビームＺＡ〜ＺＤの第１及び第２の受光素子群の夫々に対する入射位置のＹ＝０の位置に対する変動が、＋Ｔｗ／４，＋５Ｔｗ／４及び＋３・Ｔｗ／２である場合を夫々示す。ここでは、読取レーザ光ビームＺＡ〜ＺＤの変動の最大が、−３・Ｔｗ／２及び＋３・Ｔｗ／２とされている。
【０１０８】
図５のＡ〜Ｇに示されるいずれの場合にも、複数の受光素子ＰＤＯ及びＰＤＥのうちの、その全体の１／２以上の面積に亙って読取レーザ光ビームＺＡが入射するもの（Ａ），その全体の１／２以上の面積に亙って読取レーザ光ビームＺＢが入射するもの（Ｂ），その全体の１／２以上の面積に亙って読取レーザ光ビームＺＣが入射するもの（Ｃ）、及び、その全体の１／２以上の面積に亙って読取レーザ光ビームＺＡが入射するもの（Ｄ）が含まれている。従って、図５のＡ〜Ｇに示されるいずれの場合においても、第１及び第２の受光素子群から、読取レーザ光ビームＺＡ〜ＺＤの夫々についての適正な検出出力が得られることになる。
【０１０９】
図７のＡ〜Ｇは、光学系５５の横倍率が最小ＦＬとされるもとでの、複数の受光素子ＰＤＯが配列配置されて形成される第１の受光素子群及び複数の受光素子ＰＤＥが配列配置されて形成される第２の受光素子群に対する４個の読取レーザ光ビームＺＡ〜ＺＤの入射状態を示す。図８に示される如く、複数の受光素子ＰＤＯ及びＰＤＥの夫々は、幅が２・ＦＬ・Ｔｗ＝３Ｔｗ／２とされており、また、光学系５５の横倍率が最小ＦＬとされるもとにあっては、読取レーザ光ビームＺＡ〜ＺＤの夫々の幅はＦＬ・Ｔｗ＝３Ｔｗ／４である。
【０１１０】
図７のＤは、光テープ４０に形成された複数の平行記録トラックの基準位置からの光テープ４０の幅方向（走行方向に直交する方向）の変動が無く、それに伴って、読取レーザ光ビームＺＡ〜ＺＤの第１及び第２の受光素子群の夫々に対する入射位置のＹ＝０の位置に対する変動が無い場合を示す。なお、読取レーザ光ビームＺＡ〜ＺＤの第１及び第２の受光素子群の夫々に対する入射位置のＹ＝０の位置に対する変動を、図７における下方への変動については−を付してあらわし、図７における上方への変動については＋を付してあらわす。
【０１１１】
図７のＣ，Ｂ及びＤは、複数の平行記録トラックの基準位置からの変動に伴う、読取レーザ光ビームＺＡ〜ＺＤの第１及び第２の受光素子群の夫々に対する入射位置のＹ＝０の位置に対する変動が、−Ｔｗ／８，−Ｔｗ／２及び−３・Ｔｗ／２である場合を夫々示す。また、図５のＥ，Ｆ及びＧは、複数の平行記録トラックの基準位置からの変動に伴う、読取レーザ光ビームＺＡ〜ＺＤの第１及び第２の受光素子群の夫々に対する入射位置のＹ＝０の位置に対する変動が、＋Ｔｗ／４，＋５Ｔｗ／４及び＋３・Ｔｗ／２である場合を夫々示す。ここでは、読取レーザ光ビームＺＡ〜ＺＤの変動の最大が、−３・Ｔｗ／２及び＋３・Ｔｗ／２とされている。
【０１１２】
図７のＡ〜Ｇに示されるいずれの場合にも、複数の受光素子ＰＤＯ及びＰＤＥのうちの、その全体の１／２以上の面積に亙って読取レーザ光ビームＺＡが入射するもの（Ａ），その全体の１／２以上の面積に亙って読取レーザ光ビームＺＢが入射するもの（Ｂ），その全体の１／２以上の面積に亙って読取レーザ光ビームＺＣが入射するもの（Ｃ）、及び、その全体の１／２以上の面積に亙って読取レーザ光ビームＺＡが入射するもの（Ｄ）が含まれている。従って、図５のＡ〜Ｇに示されるいずれの場合においても、第１及び第２の受光素子群から、読取レーザ光ビームＺＡ〜ＺＤの夫々についての適正な検出出力が得られることになる。
【０１１３】
図９のＡ〜Ｇは、光学系５５の横倍率が最大ＦＨとされるもとでの、複数の受光素子ＰＤＯが配列配置されて形成される第１の受光素子群及び複数の受光素子ＰＤＥが配列配置されて形成される第２の受光素子群に対する４個の読取レーザ光ビームＺＡ〜ＺＤの入射状態を示す。図１０に示される如く、複数の受光素子ＰＤＯ及びＰＤＥの夫々は、幅が２・ＦＬ・Ｔｗ＝（３／２）・Ｔｗとされており、また、光学系５５の横倍率が最大ＦＨとされるもとにあっては、読取レーザ光ビームＺＡ〜ＺＤの夫々の幅はＦＨ・Ｔｗ＝５Ｔｗ／４である。
【０１１４】
図９のＤは、光テープ４０に形成された複数の平行記録トラックの基準位置からの光テープ４０の幅方向（走行方向に直交する方向）の変動が無く、それに伴って、読取レーザ光ビームＺＡ〜ＺＤの第１及び第２の受光素子群の夫々に対する入射位置のＹ＝０の位置に対する変動が無い場合を示す。なお、読取レーザ光ビームＺＡ〜ＺＤの第１及び第２の受光素子群の夫々に対する入射位置のＹ＝０の位置に対する変動を、図９における下方への変動については−を付してあらわし、図９における上方への変動については＋を付してあらわす。
【０１１５】
図９のＣ，Ｂ及びＡは、複数の平行記録トラックの基準位置からの変動に伴う、読取レーザ光ビームＺＡ〜ＺＤの第１及び第２の受光素子群の夫々に対する入射位置のＹ＝０の位置に対する変動が、−Ｔｗ／８，−Ｔｗ／２及び−３・Ｔｗ／２である場合を夫々示す。また、図９のＥ，Ｆ及びＧは、複数の平行記録トラックの基準位置からの変動に伴う、読取レーザ光ビームＺＡ〜ＺＤの第１及び第２の受光素子群の夫々に対する入射位置のＹ＝０の位置に対する変動が、＋Ｔｗ／４，＋５Ｔｗ／４及び＋３・Ｔｗ／２である場合を夫々示す。ここでは、読取レーザ光ビームＺＡ〜ＺＤの変動の最大が、−３・Ｔｗ／２及び＋３・Ｔｗ／２とされている。
【０１１６】
図９のＡ〜Ｇに示されるいずれの場合にも、複数の受光素子ＰＤＯ及びＰＤＥのうちの、その全体の１／２以上の面積に亙って読取レーザ光ビームＺＡが入射するもの（Ａ），その全体の１／２以上の面積に亙って読取レーザ光ビームＺＢが入射するもの（Ｂ），その全体の１／２以上の面積に亙って読取レーザ光ビームＺＣが入射するもの（Ｃ）、及び、その全体の１／２以上の面積に亙って読取レーザ光ビームＺＡが入射するもの（Ｄ）が含まれている。従って、図５のＡ〜Ｇに示されるいずれの場合においても、第１及び第２の受光素子群から、読取レーザ光ビームＺＡ〜ＺＤの夫々についての適正な検出出力が得られることになる。
【０１１７】
光テープ４０に形成された複数の平行記録トラックが、それらのうちの連接するＮ個の組の夫々にＮ個の直交符号が用いられて変調されたＮ個のデータが記録されたものである場合には、光検出部６１における第１及び第２の受光素子群は、例えば、以下の第３の例もしくは第４の例のようにされる。
【０１１８】
第３の例にあっては、第１の受光素子群が、複数の受光素子が一列を成すべく配列配置されて形成され、第２の受光素子群も、複数の受光素子が一列を成すべく配列配置されて形成される。これらの第１及び第２の受光素子群の夫々を形成する複数の受光素子の夫々の幅は、読取レーザ光ビームの幅Ｔｗｍ＝ＦＬ・ＴｗのＮ倍以下、即ち、Ｎ・Ｔｗｍ＝Ｎ・ＦＬ・Ｔｗ以下とされる。
【０１１９】
そして、各々が幅をＴｗｍ＝ＦＬ・ＴｗのＮ倍以下とする複数の受光素子が配列配置されて形成される第１の受光素子群が、光学系５５の横倍率が最大（ＦＨ）とされるもとで光検出部６１に入射する第１及び第２の複数の読取レーザ光ビームの組の夫々についての入射位置が、複数の平行記録トラックの基準位置からの変動が最大とされるとき変動する範囲、即ち、光検出部６１において第１及び第２の複数の読取レーザ光ビームの組の夫々が入射する可能性がある範囲の全体に亙るものとされる。
【０１２０】
また、各々が幅をＴｗｍ＝ＦＬ・ＴｗのＮ倍以下とする複数の受光素子が配列配置されて形成される第２の受光素子群が、それを形成する複数の受光素子の個数が、第１の受光素子群を形成する複数の受光素子の個数より１個だけ少ないものとされるとともに、複数の受光素子の夫々が、第１の受光素子を形成する複数の受光素子の夫々に対し、その幅Ｎ・Ｔｗｍ＝Ｎ・ＦＬ・Ｔｗ以下の１／２だけ変位した位置に配される。
【０１２１】
そして、この第３の例の場合には、光検出部６１において第１及び第２の複数の読取レーザ光ビームの組の夫々が入射する可能性がある範囲が、複数の受光素子により形成される第２の受光素子群の全長に複数の受光素子の夫々の幅の１／２を加えた長さより大とされる。
【０１２２】
このような第３の例にあっては、各々が幅をＮ・Ｔｗｍ＝Ｎ・ＦＬ・Ｔｗ以下とするものとされた複数の受光素子が、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置されて成る第１の受光素子群と、各々が幅をＮ・Ｔｗｍ＝Ｎ・ＦＬ・Ｔｗ以下とするものとされた複数の受光素子が、第１の受光素子群における複数の受光素子の個数より１だけ少ない個数をもって、第１の受光素子群における複数の受光素子の夫々に対し、その幅の１／２だけ変位して配列配置されて成り、第２の複数の読取レーザ光ビームの組が入射する第２の受光素子群とを含んで構成されていることになる。
【０１２３】
第４の例にあっても、第１の受光素子群が、複数の受光素子が一列を成すべく配列配置されて形成され、第２の受光素子群が、複数の受光素子が一列を成すべく配列配置されて形成される。これらの第１及び第２の受光素子群の夫々を形成する複数の受光素子の夫々の幅は、読取レーザ光ビームの幅Ｔｗｍ＝ＦＬ・ＴｗのＮ倍以下、即ち、Ｎ・Ｔｗｍ＝Ｎ・ＦＬ・Ｔｗ以下とされる。
【０１２４】
そして、各々が幅をＴｗｍ＝ＦＬ・ＴｗのＮ倍以下とする複数の受光素子が配列配置されて形成される第１の受光素子群が、光学系５５の横倍率が最大（ＦＨ）とされるもとで光検出部６１に入射する第１及び第２の複数の読取レーザ光ビームの組の夫々についての入射位置が、複数の平行記録トラックの基準位置からの変動が最大とされるとき変動する範囲、即ち、光検出部６１において第１及び第２の複数の読取レーザ光ビームの組の夫々が入射する可能性がある範囲の全体に亙るものとされるに要される受光素子の個数より１だけ少ない個数の受光素子の配列配置を有するものとされる。
【０１２５】
また、各々が幅をＴｗｍ＝ＦＬ・ＴｗのＮ倍以下とする複数の受光素子が配列配置されて形成される第２の受光素子群が、それを形成する複数の受光素子の個数が、第１の受光素子群を形成する複数の受光素子の個数と同数とされるとともに、複数の受光素子の夫々が、第１の受光素子を形成する複数の受光素子の夫々の幅Ｎ・Ｔｗｍ＝Ｎ・ＦＬ・Ｔｗ以下の１／２だけ変位した位置に配される。
【０１２６】
そして、この場合には、光検出部６１において第１及び第２の複数の読取レーザ光ビームの組の夫々が入射する可能性がある範囲が、複数の受光素子により形成される第２の受光素子群の全長に複数の受光素子の夫々の幅の１／２を加えた長さ以下とされる。
【０１２７】
このような第４の例にあっては、各々が幅をＮ・Ｔｗｍ＝Ｎ・ＦＬ・Ｔｗ以下とするものとされた複数の受光素子が、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置される場合より、１個だけ少ない個数をもって配列配置されて成る第１の受光素子群と、各々が幅をＮ・Ｔｗｍ＝Ｎ・ＦＬ・Ｔｗ以下とするものとされた複数の受光素子が、第１の受光素子群における複数の受光素子の個数と同じ個数をもって、第１の受光素子群における複数の受光素子の夫々に対し、その幅の１／２だけ変位して配列配置されて成り、第２の複数の読取レーザ光ビームの組が入射する第２の受光素子群とを含んで構成されていることになる。
【０１２８】
上述の第３の例及び第４の例にあっては、第１及び第２の受光素子群を形成する複数の受光素子の夫々がその幅をＮ・Ｔｗｍ＝Ｎ・ＦＬ・Ｔｗ以下とするものとされており、例えば、第１及び第２の受光素子群を形成する複数の受光素子の夫々の幅がＮ・Ｔｗｍ＝Ｎ・ＦＬ・Ｔｗに選定される場合、これらの複数の受光素子のうちの第１もしくは第２の複数の読取レーザ光ビームの組が入射するものについては、光学系５５の横倍率が最小ＦＬとされるもとで、それらの夫々にＮ個の読取レーザ光ビームの全部、もしくは、Ｎ−１個の読取レーザ光ビームの全部と２個の読取レーザ光ビームの部分とが入射することになる。
【０１２９】
上述の如くに、光検出部６１にあっては、光テープ４０に形成された複数の平行記録トラックが、それらのうちの隣り合う対の夫々に２個の直交符号が用いられて変調された２個のデータが記録されたものとされるもと、もしくは、それらのうちの連接するＮ個の組の夫々にＮ個の直交符号が用いられて変調されたＮ個のデータが記録されたものとされるもとにおいて、下記の第１の態様あるいは第２の態様がとられることにより、光ビーム分岐光学系６０において第１及び第２の複数の読取レーザ光ビームの組を形成するものとされる光テープ４０からの複数の読取レーザ光ビームのいずれについても、第１及び第２の受光素子群を形成すべく配列配置された受光素子のうちの少なくとも一つに、その全体の１／２の面積に亙って入射し、それにより当該受光素子から適正な検出出力が導出される状態が得られるのである。従って、光学系５５を通じて光テープ４０に形成された複数の平行記録トラックに夫々入射する複数のレーザ光ビームについてのトラッキングサーボ制御は不要とされる。
【０１３０】
上述の第１の態様とは、各々が幅を２・Ｔｗｍ＝２・ＦＬ・Ｔｗ以下もしくはＮ・Ｔｗｍ＝Ｎ・ＦＬ・Ｔｗ以下とするものとされた複数の受光素子が、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置されて成る第１の受光素子群と、各々が幅を２・Ｔｗｍ＝２・ＦＬ・Ｔｗ以下もしくはＮ・Ｔｗｍ＝Ｎ・ＦＬ・Ｔｗ以下とするものとされた複数の受光素子が、第１の受光素子群における複数の受光素子の個数より１だけ少ない個数をもって、第１の受光素子群における複数の受光素子の夫々に対し、その幅の１／２だけ変位して配列配置されて成り、第２の複数の読取レーザ光ビームの組が入射する第２の受光素子群とを含んで構成されることである。また、上述の第２の態様とは、各々が幅を２・Ｔｗｍ＝２・ＦＬ・Ｔｗ以下もしくはＮ・Ｔｗｍ＝Ｎ・ＦＬ・Ｔｗ以下とするものとされた複数の受光素子が、光学系５５の横倍率が最大とされるとともに複数の平行記録トラックの基準位置からの変動が最大とされたもとでの第１の複数の読取レーザ光ビームの組の全てを、適正に入射させることができる範囲に亙って配列配置される場合より、１個だけ少ない個数をもって配列配置されて成る第１の受光素子群と、各々が幅を２・Ｔｗｍ＝２・ＦＬ・Ｔｗ以下もしくはＮ・Ｔｗｍ＝Ｎ・ＦＬ・Ｔｗ以下とするものとされた複数の受光素子が、第１の受光素子群における複数の受光素子の個数と同じ個数をもって、第１の受光素子群における複数の受光素子の夫々に対し、その幅の１／２だけ変位して配列配置されて成り、第２の複数の読取レーザ光ビームの組が入射する第２の受光素子群とを含んで構成されることである。
【０１３１】
上述の如くの第１及び第２の受光素子群を形成すべく配列配置された受光素子の夫々から導出される読取レーザ光ビームについての検出出力は、光検出部６１から複数の検出出力信号ＳＩＮとして送出されて、再生処理部６２に供給される。再生処理部６２は、光検出部６１からの複数の出力信号ＳＩＮに基づいて、光テープ４０における複数の平行記録トラックに記録されたデータを再生する。
【０１３２】
図１１は、光検出部６１と再生処理部６２とについての具体構成例を示す。この例は、光テープ４０に形成された４個の平行記録トラックから得られる４個の読取レーザ光ビームを、光検出部６１における第１の受光素子群を形成すべく配列配置された５個の受光素子ＰＤ１，ＰＤ３，ＰＤ５，ＰＤ７及びＰＤ９と第２の受光素子群を形成すべく配列配置された５個の受光素子ＰＤ２，ＰＤ４，ＰＤ６，ＰＤ８及びＰＤ１０とによって検出し、４個の平行記録トラックに夫々記録されたデータＤＤ１，ＤＤ２，ＤＤ３及びＤＤ４を再生するものとされている。５個の受光素子ＰＤ１，ＰＤ３，ＰＤ５，ＰＤ７及びＰＤ９と５個の受光素子ＰＤ２，ＰＤ４，ＰＤ６，ＰＤ８及びＰＤ１０とは、例えば、図４に示されるものと同様に、夫々一列を成すように配列配置されている。
【０１３３】
図１１に示される光検出部６１と再生処理部６２とについての具体構成例にあっては、光テープ４０に形成された４個の平行記録トラックから得られる４個の読取レーザ光ビームが、第１及び第２の複数の読取レーザ光ビームの組として夫々入射する第１及び第２の受光素子群を形成すべく配列配置された受光素子ＰＤ１〜ＰＤ１０から夫々得られる検出出力信号ＳＢ１，ＳＢ２，・・・・・，ＳＢ１０が、出力信号ＳＩＮを形成するものとして、再生処理部６２に供給される。
【０１３４】
再生処理部６２にあっては、受光素子ＰＤ１からの検出出力信号ＳＢ１が、ヘッド増幅器（Ｈｅａｄ　Ａｍｐ）及び等化器（ＥＱ）　を通じて〔１＋Ｄ〕演算部及び〔１−Ｄ〕演算部に供給され、〔１＋Ｄ〕演算が施された信号及び〔１＋Ｄ〕演算が施された信号の２個の信号とされて、クロック抽出・データ検出部（ＰＬＬ＆ＤＥＴ）に供給され、それにより、クロック抽出・データ検出部（ＰＬＬ＆ＤＥＴ）によって検出されたデータが信号処理回路に供給される。受光素子ＰＤ２〜ＰＤ１０から夫々得られる検出出力信号ＳＢ２〜ＳＢ１０の夫々についても、検出出力信号ＳＢ１と同様に、ヘッド増幅器（Ｈｅａｄ　Ａｍｐ）及び等化器（ＥＱ）　を通じて〔１＋Ｄ〕演算部及び〔１−Ｄ〕演算部に供給され、〔１＋Ｄ〕演算が施された信号及び〔１＋Ｄ〕演算が施された信号の２個の信号とされて、クロック抽出・データ検出部（ＰＬＬ＆ＤＥＴ）に供給され、それにより、クロック抽出・データ検出部（ＰＬＬ＆ＤＥＴ）によって検出されたデータが信号処理回路に供給される。
【０１３５】
信号処理回路は、例えば、検出出力信号ＳＢ１〜ＳＢ１０に基づくデータについての、誤り検出・訂正処理，各データが有する識別符号（ＩＤ）に応じたメモリへの格納処理等を行い、結果的に検出出力信号ＳＢ１〜ＳＢ１０に〔１＋Ｄ〕演算及び〔１＋Ｄ〕演算が施されて得られる信号に基づくデータのうちの適正なもののみを選択して、光テープ４０における４個の平行記録トラックに記録されたデータの再生に用いることとして、４個の平行記録トラックに夫々記録されたデータＤＤ１，ＤＤ２，ＤＤ３及びＤＤ４を再生し、それらを送出する。
【０１３６】
図１２は、図１１にあっては夫々が一列を成すものとされている、第１の受光素子群を形成する受光素子ＰＤ１，ＰＤ３，ＰＤ５，ＰＤ７及びＰＤ９、及び、第２の受光素子群を形成する受光素子ＰＤ２，ＰＤ４，ＰＤ６，ＰＤ８及びＰＤ１０の配列配置についての変形例を示す。
【０１３７】
図１２に示される例にあっては、第１の受光素子群を形成する受光素子ＰＤ１，ＰＤ３，ＰＤ５，ＰＤ７及びＰＤ９が２列をなすように配列配置され、また、第２の受光素子群を形成する受光素子ＰＤ２，ＰＤ４，ＰＤ６，ＰＤ８及びＰＤ１０も２列をなすように配列配置されている。そして、受光素子ＰＤ１，ＰＤ３，ＰＤ５，ＰＤ７及びＰＤ９が成す２列と受光素子ＰＤ２，ＰＤ４，ＰＤ６，ＰＤ８及びＰＤ１０が成す２列とが、交互に配されている。
【０１３８】
図１３は、本願の特許請求の範囲における請求項１７から請求項２４までのいずれかに記載された発明に係るデータ記録再生装置の一例の要部を示す。
【０１３９】
図１３に示されるデータ記録再生装置の例にあっては、光テープ７０が巻装されて、その巻装された光テープ７０を送り出す供給リール７１と、光テープ７０を巻き取る巻取リール７２とが備えられる。そして、供給リール７１と巻取リール７２との間における光テープ７０は、フリクション・キャプスタン７３によって、供給リール７１から巻取リール７２へと矢印Ｔにより示される方向に走行すべく駆動される。
【０１４０】
また、図１３に示されるデータ再生装置の例にあっては、フリクション・キャプスタン７３によって駆動される光テープ７０を、予め設定された位置を安定に走行するものとするための、複数の位置決め部材７４，一対のテンション・レギュレータ７５及び走行案内部７６が設けられている。複数の位置決め部材７４は、光テープ７０の走行経路を設定し、一対のテンション・レギュレータ７５は、供給リール７１と巻取リール７２との間における光テープ７０に、スプリング７７の付勢力によって所定の張力を与える。走行案内部７６は、走行する光テープ７０を案内し、そこを通過する光テープ７０に、レーザ光ビーム発生部及び再生処理部を含んだ光ビーム制御・信号処理部７８からのレーザ光ビームが入射することになるものとされる。
【０１４１】
上述の、供給リール７１，巻取リール７２，フリクション・キャプスタン７３，複数の位置決め部材７４，一対のテンション・レギュレータ７５及び走行案内部７６を含んだ構成は、光テープ７０を駆動して走行させるテープ状光記録媒体駆動機構を形成している。
【０１４２】
光ビーム制御・信号処理部７８は、具体的には、例えば、図１４に示される如くに構成される。図１４に示される光ビーム制御・信号処理部７８の具体構成例にあっては、複数のレーザ光ビームを連続的に発する光源部を成す一次元ダイオードアレイ８１が備えられている。この一次元ダイオードアレイ８１は、例えば、各々が単一のレーザ光ビームを発する複数のレーザダイオードが線状に配列配置されて形成される。従って、一次元ダイオードアレイ８１からは、複数のレーザダイオードの線状の配列配置に応じて配列配置されたもの、換言すれば、実質的に共通面内に配列配置されたものとされる複数のレーザ光ビームが発せられる。
【０１４３】
一次元ダイオードアレイ８１に関連して、変調制御信号送出部８２が設けられている。変調制御信号送出部８２には、光テープ７０に記録されるべきデータＤＳが供給されるが、その記録されるべきデータＤＳに応じて複数の変調制御信号ＳＭＤを形成して、それらを一次元ダイオードアレイ８１における複数のレーザダイオードに夫々供給する状態と、記録されるべきデータＤＳには関わりなく、予め設定された複数の変調制御信号ＳＮＭを形成して、それらを一次元ダイオードアレイ８１における複数のレーザダイオードに夫々供給する状態とをとる。
【０１４４】
変調制御信号送出部８２から得られる複数の変調制御信号ＳＭＤは、一次元ダイオードアレイ８１における複数のレーザダイオードから発せられる複数のレーザ光ビームを、光テープ７０にその走行方向に沿って伸びる複数の平行記録トラックを、それらのうちの隣り合う対の夫々に２個の直交符号が用いられて変調された２個のデータが記録されたもの、あるいは、それらのうちの連接するＮ個の組の夫々にＮ個の直交符号が用いられて変調されたＮ個のデータが記録されたものとして形成するものとすべく、変調するものとされる。
【０１４５】
これらの一次元ダイオードアレイ８１と変調制御信号送出部８２とを含む部分は、レーザ光ビーム発生部を形成している。
【０１４６】
一次元ダイオードアレイ８１における複数のレーザダイオードの夫々は、変調制御信号送出部８２からの記録されるべきデータＤＳに基づく複数の変調制御信号ＳＭＤが供給されるとき、それが発するレーザ光ビームを、変調制御信号ＳＭＤに応じた強度変化を伴うもの、即ち、変調制御信号ＳＭＤに応じて変調されたものとなし、また、変調制御信号送出部７２からの予め設定された複数の変調制御信号ＳＮＭが供給されるとき、それが発するレーザ光ビームを、変調されることなく一定の強度を有したものとなす。
【０１４７】
それにより、一次元ダイオードアレイ８１からは、記録されるべき情報に基づく複数の変調制御信号ＳＭＤに応じて変調された複数のレーザ光ビーム、もしくは、変調されていない複数のレーザ光ビームが、複数のレーザダイオードの線状の配列配置に応じて配列配置されたもの、換言すれば、実質的に共通面内に配列配置されたものとされて発せられる。
【０１４８】
一次元ダイオードアレイ８１から得られる、実質的に共通面内に配列配置された複数のレーザ光ビームは、光ビーム平行化レンズ等を含んだ光学系８３を通じて、偏光ビームスプリッタ８４に入射する。この偏光ビームスプリッタ８４に入射する一次元ダイオードアレイ８１から得られる複数のレーザ光ビームは、その偏光面が偏光ビームスプリッタ８４を透過するものとなるように選定されたものとされる。そして、偏光ビームスプリッタ８４を透過した複数のレーザ光ビームは、１／４波長板８５を通過し、光ビーム制御を行う光学系８６を通じて、テープ状光記録媒体駆動機構によって駆動されて走行する光テープ７０に入射する。
【０１４９】
光ビーム制御を行う光学系８６は、光テープ７０に入射する複数のレーザ光ビームが、一次元ダイオードアレイ８１から変調制御信号ＳＭＤに応じて変調されて得られるものとされる場合には、光テープ７０に入射する複数のレーザ光ビームの夫々に、光テープ７０上において適正な集束状態をとらせるフォーカス制御と、光テープ７０に入射する複数のレーザ光ビームの夫々を、光テープ７０上における適正な位置に入射させるトラッキング制御とを行う。また、光テープ７０に入射する複数のレーザ光ビームが、一次元ダイオードアレイ８１から変調されることなく得られるものとされる場合には、光テープ７０に入射する複数のレーザ光ビームの夫々に、光テープ７０上において適正な集束状態をとらせるフォーカスサーボ制御は行うが、光テープ７０に入射する複数のレーザ光ビームについてのトラッキングサーボ制御は行わない。
【０１５０】
光テープ７０に入射する複数のレーザ光ビームが、一次元ダイオードアレイ８１から変調制御信号ＳＭＤに応じて変調されて得られるものである場合には、変調制御信号ＳＭＤに応じて変調された複数のレーザ光ビームによって、光テープ７０に記録されるべきデータの記録が行われる。この光テープ７０への記録されるべきデータの記録は、光テープ７０にその走行方向に沿って伸びる複数の平行記録トラックが形成され、斯かる複数の平行記録トラックが、それらのうちの隣り合う対の夫々に２個の直交符号が用いられて変調された２個のデータが記録されたもの、あるいは、それらのうちの連接するＮ個の組の夫々にＮ個の直交符号が用いられて変調されたＮ個のデータが記録されたものとなるように行われる。
【０１５１】
一方、光テープ７０に入射する複数のレーザ光ビームが、一次元ダイオードアレイ８１から変調されることなく得られるものである場合には、光テープ７０は、その走行方向に沿って伸びる複数の平行記録トラックが形成されたものとされており、斯かる複数の平行記録トラックは、それらのうちの隣り合う対の夫々に２個の直交符号が用いられて変調された２個のデータが記録されたもの、あるいは、それらのうちの連接するＮ個の組の夫々にＮ個の直交符号が用いられて変調されたＮ個のデータが記録されたものとされている。そして、光ビーム制御を行う光学系８６によって、複数のレーザ光ビームが複数の平行記録トラックに夫々入射するものとされる。
【０１５２】
光テープ７０に形成された複数の平行記録トラックに夫々入射した複数のレーザ光ビームの各々は、各平行記録トラックに記録された情報に応じて変調されるとともに各平行記録トラックにおいて反射し、読取レーザ光ビームとして光テープ７０から光学系８６に向かうものとされる。光テープ７０から得られる複数の読取レーザ光ビームは、光学系８６及び１／４波長板８５を通過して、偏光ビームスプリッタ８４に入射する。この偏光ビームスプリッタ８４に入射する光テープ７０から得られる複数の読取レーザ光ビームは、１／４波長板８５を往復して通過したことになるので、偏光ビームスプリッタ８４に入射する光学系８３からの複数のレーザ光ビームに比して偏光面が９０°回転したものとなっており、偏光ビームスプリッタ８４において図１４における右方に反射する。
【０１５３】
偏光ビームスプリッタ８４において反射した複数の読取レーザ光ビームは、光ビームスプリッタ８７に入射し、その一部が、光ビームスプリッタ８７において図１４における下方に反射され、例えば、シリンドリカルレンズ等の光学素子８８を通じて、フォーカス検出部８９に入射するとともに、他の一部が、光ビームスプリッタ８７を透過し、例えば、集光レンズ等の光学素子９０を通じて、光ビーム分岐光学系９１に入射する。
【０１５４】
フォーカス検出部８９は、光学素子８８を通じて入射する複数の読取レーザ光ビームに応じて、光テープ７０に入射する複数のレーザ光ビームについてのフォーカス状態をあらわす出力信号ＳＦを送出する。この出力信号ＳＦは、例えば、光学系８６による、光テープ７０に入射する複数のレーザ光ビームの夫々に光テープ７０上において適正なフォーカス状態をとらせるためのフォーカスサーボ制御に用いられる。
【０１５５】
光ビーム分岐光学系９１は、例えば、ビーム形成ホログラム、あるいは、ウーラストン・プリズム等が用いられて構成され、光学素子９０を通じて入射する複数の読取レーザ光ビームの各々を２個に分岐し、第１の複数の読取レーザ光ビームの組と第２の複数の読取レーザ光ビームの組とを形成して、それらを光検出部９２に入射させる。
【０１５６】
光検出部９２は、複数の受光素子が配列配置されて成る第１及び第２の受光素子群を含んで構成される。第１の受光素子群は、光ビーム分岐光学系９１からの第１の複数の読取レーザ光ビームの組が入射する位置に配され、また、第２の受光素子群は、光ビーム分岐光学系９１からの第２の複数の読取レーザ光ビームの組が入射する位置に配される。
【０１５７】
光検出部９２における第１及び第２の受光素子群は、例えば、前述の図２に示されるデータ再生装置の例における光検出部６１における第１及び第２の受光素子群と全く同様に構成される。それゆえ、それらについての重複説明は省略される。
【０１５８】
光検出部９２からは、前述の図２に示されるデータ再生装置の例における光検出部６１から送出されるものと同様の複数の検出出力信号ＳＩＮが送出されて、それらが再生処理部９３に供給される。再生処理部９３も、例えば、前述の図２に示されるデータ再生装置の例における再生処理部６２と同様に構成されて、同様の信号処理動作を行うものとされる。それにより、再生処理部９３において、光テープ７０に形成された複数の平行記録トラックに記録されたデータが再生される。
【０１５９】
このようにして、光検出部９２における第１及び第２の受光素子群が、図２に示されるデータ再生装置の例における光検出部６１における第１及び第２の受光素子群と全く同様に構成されるとともに、再生処理部９３が、図２に示されるデータ再生装置の例における再生処理部６２と同様に構成されて、同様の信号処理動作を行うものとされることにより、光テープ７０に入射する複数のレーザ光ビームが、一次元ダイオードアレイ８１から変調されることなく得られるものである場合には、光テープ７０に入射する複数のレーザ光ビームに対するトラッキングサーボ制御が不要とされるもとで、隣り合う対の夫々に２個の直交符号が用いられて変調された２個のデータが記録されたもの、あるいは、連接するＮ個の組の夫々にＮ個の直交符号が用いられて変調されたＮ個のデータが記録されたものとされる複数の平行記録トラックが形成された光テープ７０からのデータの再生が、適正に行われることになる。
【０１６０】
図１５は、図１４に示される光ビーム制御・信号処理部７８の例における変調制御信号送出部８２の変調制御信号ＳＭＤを形成する部分の具体構成例を示す。図１５に示される変調制御信号送出部８２の変調制御信号ＳＭＤを形成する部分の例にあっては、光テープ７０に記録されるべきデータＤＳとして、１６チャンネルのデータＤ０，Ｄ２，Ｄ２，・・・・・，Ｄ１５が供給される。そして、これらの１６チャンネルのデータＤ０〜Ｄ１５が、４チャンネルずつの４個のグループＤ０〜Ｄ３，Ｄ４〜Ｄ７，Ｄ８〜Ｄ１１及びＤ１２〜Ｄ１５に分けられ、各グループに属する４チャンネルのデータが、４個の変調コードＣＯＤＥ０，ＣＯＤＥ１，ＣＯＤＥ２及びＣＯＤＥ３によって夫々変調される。
【０１６１】
４個の変調コードＣＯＤＥ０，ＣＯＤＥ１，ＣＯＤＥ２及びＣＯＤＥ３は、例えば、周期４のアマダール行列の各行を成すもの、即ち、ＣＯＤＥ０が　［＋１　＋１　＋１　＋１］　，　ＣＯＤＥ１が　［＋１　−１　＋１　−１］　，　ＣＯＤＥ２が［＋１　−１　＋１　＋１］　，　ＣＯＤＥ３が　［＋１　−１　−１　＋１］　とされる。
【０１６２】
そして、４個のグループＤ０〜Ｄ３，Ｄ４〜Ｄ７，Ｄ８〜Ｄ１１及びＤ１２〜Ｄ１５の各々について、それに属する４チャンネルのデータが４個の変調コードＣＯＤＥ０，ＣＯＤＥ１，ＣＯＤＥ２及びＣＯＤＥ３によって夫々変調される処理が行われ、それにより得られる１６チャンネルの変調データが、複数の変調制御信号ＳＭＤとして、一次元ダイオードアレイ８１に供給される。
【０１６３】
斯かる際には、一次元ダイオードアレイ８１は１６個のレーザ光ビームを発するものとされ、その１６個のレーザ光ビームが、変調制御信号送出部８２の変調制御信号ＳＭＤを形成する部分の例からの複数の変調制御信号ＳＭＤを形成する１６チャンネルの変調データに応じて夫々変調されたものとされる。それにより、一次元ダイオードアレイ８１から、１６チャンネルのデータＤ０〜Ｄ１５が４個の変調コードＣＯＤＥ０，ＣＯＤＥ１，ＣＯＤＥ２及びＣＯＤＥ３によって変調されて得られる１６チャンネルの変調データによって夫々変調された１６個のレーザ光ビームが得られることになる。
【０１６４】
【発明の効果】
以上の説明から明らかな如く、本願の特許請求の範囲における請求項１から請求項８までのいずれかに記載されたデータ再生装置にあっては、隣り合う対の夫々に２個の直交符号が用いられて変調された２個のデータが記録されて成る複数の平行記録トラックが形成されたテープ状光記録媒体から得られる複数の読取光ビームを検出する光検出部が、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成されるもの、あるいは、各々が第１の光学系の横倍率が最小とされたもとでの複数の読取光ビームの夫々の幅の２倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成されるものとされる。そして、複数の受光素子から複数の読取光ビームの夫々についての検出出力信号が導出されて、再生処理部におけるデータ再生に供される。
【０１６５】
このような光検出部を備える本願の特許請求の範囲における請求項１から請求項８までのいずれかに記載されたデータ再生装置によれば、テープ状光記録媒体における、隣り合う対の夫々に２個の直交符号が用いられて変調された２個のデータが記録されて成る複数の平行記録トラックに、夫々入射する複数の光ビームについてのトラッキングサーボ制御を省略したもとで、複数の平行記録トラックに記録されたデータを適正に再生することができることになる。
【０１６６】
本願の特許請求の範囲における請求項９から請求項１６までのいずれかに記載されたデータ再生装置にあっては、連接するＮ個の組の夫々にＮ個の直交符号が用いられて変調されたＮ個のデータが記録されて成る複数の平行記録トラックが形成されたテープ状光記録媒体から得られる複数の読取光ビームを検出する光検出部が、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置されて成る第１の受光素子群と、各々が第１の光学系の横倍率が最小とされたもとでの複数の読取光ビームの夫々の幅のＮ倍以下の幅を有するものとされた複数の受光素子が、第１の受光素子群における受光素子の個数より１だけ少ない個数をもって、第１の受光素子群における各受光素子に対し、その幅の１／２だけ変位して配列配置されて成る第２の受光素子群とを含んで構成されるもの、あるいは、各々が第１の光学系の横倍率が最小とされたもとでの複数の読取光ビームの夫々の幅のＮ倍以下の幅を有するものとされた複数の受光素子が、第１の光学系の横倍率が最大とされるとともに複数の平行記録トラックの基準位置からのずれが最大とされたもとでの複数の読取光ビームの全てを、適正に入射させることができる範囲に亙って配列配置される場合より、１個少ない個数をもって配列配置されて成る第１の受光素子群と、各々が第１の光学系の横倍率が最小とされたもとでの複数の読取光ビームの夫々の幅の２倍以下の幅を有するものとされた複数の受光素子が、第１の受光素子群における受光素子の個数と同じ個数をもって、第１の受光素子群における各受光素子に対し、その幅の１／２だけ変位して配列配置されて成る第２の受光素子群とを含んで構成されるものとされる。そして、複数の受光素子から複数の読取光ビームの夫々についての検出出力信号が導出されて、再生処理部におけるデータ再生に供される。
【０１６７】
このような光検出部を備える本願の特許請求の範囲における請求項９から請求項１６までのいずれかに記載されたデータ再生装置によれば、テープ状光記録媒体における、連接するＮ個の組の夫々にＮ個の直交符号が用いられて変調されたＮ個のデータが記録されて成る複数の平行記録トラックに、夫々入射する複数の光ビームについてのトラッキングサーボ制御を省略したもとで、複数の平行記録トラックに記録されたデータを適正に再生することができる。
【０１６８】
本願の特許請求の範囲における請求項１７から請求項２０までのいずれかに記載されたデータ記録再生装置にあっては、光ビーム発生部及び第１の光学系により、複数の変調光ビームにより、テープ状光記録媒体に、複数の平行記録トラックが形成されるとともにそれらのうちの隣り合う対の夫々に２個の直交符号が用いられて変調された２個のデータが記録される状態である記録状態、もしくは、複数の変調されていない光ビームに基づいて、テープ状光記録媒体から、それに形成された隣り合う対の夫々に２個の直交符号が用いられて変調された２個のデータが記録されて成る複数の平行記録トラックによって変調された複数の読取光ビームが得られる状態である再生状態がとられる。そして、複数の読取光ビームが入射する光検出部が、請求項１から請求項８までのいずれかに記載されたデータ再生装置に備えられる光検出部と同様なものとされる。
【０１６９】
それにより、本願の特許請求の範囲における請求項１７から請求項２０までのいずれかに記載されたデータ記録再生装置によれば、再生状態がとられる際に、請求項１から請求項８までのいずれかに記載されたデータ再生装置の場合と同様にして、テープ状光記録媒体における、隣り合う対の夫々に２個の直交符号が用いられて変調された２個のデータが記録されて成る複数の平行記録トラックに、夫々入射する複数の光ビームについてのトラッキングサーボ制御を省略したもとで、複数の平行記録トラックに記録されたデータを適正に再生することができることになる。
【０１７０】
本願の特許請求の範囲における請求項２１から請求項２４までのいずれかに記載されたデータ記録再生装置にあっては、光ビーム発生部及び第１の光学系により、複数の変調光ビームにより、テープ状光記録媒体に、複数の平行記録トラックが形成されるとともにそれらのうちの連接するＮ個の組の夫々にＮ個の直交符号が用いられて変調されたＮ個のデータが記録される状態である記録状態、もしくは、複数の変調されていない光ビームに基づいて、テープ状光記録媒体から、それに形成されたＮ個の組の夫々にＮ個の直交符号が用いられて変調されたＮ個のデータが記録されて成る複数の平行記録トラックによって変調された複数の読取光ビームが得られる状態である再生状態がとられる。そして、複数の読取光ビームが入射する光検出部が、請求項９から請求項１６までのいずれかに記載されたデータ再生装置に備えられる光検出部と同様なものとされる。
【０１７１】
それにより、本願の特許請求の範囲における請求項２１から請求項２４までのいずれかに記載されたデータ記録再生装置によれば、再生状態がとられる際に、請求項９から請求項１６までのいずれかに記載されたデータ再生装置の場合と同様にして、テープ状光記録媒体における、連接するＮ個の組の夫々にＮ個の直交符号が用いられて変調されたＮ個のデータが記録されて成る複数の平行記録トラックに、夫々入射する複数の光ビームについてのトラッキングサーボ制御を省略したもとで、複数の平行記録トラックに記録されたデータを適正に再生することができる。
【図面の簡単な説明】
【図１】本願の特許請求の範囲における請求項１から請求項１６までのいずれかに記載された発明に係るデータ再生装置の一例の要部を示す概略構成図である。
【図２】図１に示されるデータ再生装置の例における光ビーム制御・信号処理部の具体構成例を示すブロック接続図である。
【図３】図１に示されるデータ再生装置における光検出部の説明に供される概念図である。
【図４】図１に示されるデータ再生装置における光検出部の説明に供される概念図である。
【図５】図１に示されるデータ再生装置における光検出部の説明に供される概念図である。
【図６】図１に示されるデータ再生装置における光検出部の説明に供される概念図である。
【図７】図１に示されるデータ再生装置における光検出部の説明に供される概念図である。
【図８】図１に示されるデータ再生装置における光検出部の説明に供される概念図である。
【図９】図１に示されるデータ再生装置における光検出部の説明に供される概念図である。
【図１０】図１に示されるデータ再生装置における光検出部の説明に供される概念図である。
【図１１】図１に示されるデータ再生装置における光検出部と再生処理部との具体構成例を示すブロック構成図である。
【図１２】図１に示されるデータ再生装置における光検出部における受光素子群の図１１に示されるものとは異なる例の説明に供される概念図である。
【図１３】本願の特許請求の範囲における請求項１７から請求項２４までのいずれかに記載された発明に係るナータ記録再生装置の一例の要部を示す概略構成図である。
【図１４】図１３に示されるデータ記録再生装置の例における光ビーム制御・信号処理部の具体構成例を示すブロック接続図である。
【図１５】図１４に示される光ビーム制御・信号処理部における変調制御信号送出部の部分についての具体構成例を示すブロック接続図である。
【図１６】本願の特許請求の範囲における請求項１から請求項２４までのいずれかに記載された発明に関わる光検出部の説明に供される概念図である。
【図１７】本願の特許請求の範囲における請求項１から請求項２４までのいずれかに記載された発明に関わる光検出部の説明に供される概念図である。
【図１８】本願の特許請求の範囲における請求項１から請求項２４までのいずれかに記載された発明に関わる光検出部の説明に供される概念図である。
【図１９】従来の光テープを用いるデータ再生装置の一例の要部を示す概略構成図である。
【図２０】図１９に示されるデータ再生装置の一例の要部における光ビーム制御・信号処理部の具体構成例を示すブロック接続図である。
【図２１】図１９に示されるデータ再生装置の一例の要部における走行案内部の説明に供される概略側面図である。
【図２２】図１９に示されるデータ再生装置の一例の要部における走行案内部の説明に供される概略側面図である。
【符号の説明】
４０，７０・・・光テープ，　４１，７１・・・供給リール，　４２，７２・・・巻取リール，　４６，７６・・・走行案内部，　４８，７８・・・光ビーム制御・信号処理部，　５１・・・レーザ光源，　５２，５５，８３，８６・・・光学系，　５３，８４・・・偏光ビームスプリッタ，　５４，８５・・・１／４波長板，　５６，８７・・・光ビームスプリッタ，　５７，５９，８８，９０・・・光学素子，　５８，８９・・・フォーカス検出部，　６０，９１・・・光ビーム分岐光学系，　６１，９２・・・光検出部，　６２，９３・・・再生処理部，　８１・・・一次元ダイオードアレイ，　８２・・・変調信号送出部，　ＰＤａ，ＰＤｂ，ＰＤＯ，ＰＤＥ，ＰＤ１〜ＰＤ１１・・・受光素子，　ＺＡ〜ＺＤ・・・読取レーザ光ビーム
【図１】
2004054984.tif 000007
【図２】
2004054984.tif 000008
【図３】
2004054984.tif 000009
【図４】
2004054984.tif 000010
【図５】
2004054984.tif 000011
【図６】
2004054984.tif 000012
【図７】
2004054984.tif 000013
【図８】
2004054984.tif 000014
【図９】
2004054984.tif 000015
【図１０】
2004054984.tif 000016
【図１１】
2004054984.tif 000017
【図１２】
2004054984.tif 000018
【図１３】
2004054984.tif 000019
【図１４】
2004054984.tif 000020
【図１５】
2004054984.tif 000021
【図１６】
2004054984.tif 000022
【図１７】
2004054984.tif 000023
【図１８】
2004054984.tif 000024
【図１９】
2004054984.tif 000025
【図２０】
2004054984.tif 000026
【図２１】
2004054984.tif 000027
【図２２】
2004054984.tif 000028